(57)【特許請求の範囲】
【請求項１】
ネットワークを介して複数の電子デバイスを管理するデバイス管理システムであって、
１つ以上のコンピュータ上で実行されるように構成された登録サーバを備え、前記登録サーバは、前記ネットワークのパブリックネットワーク部分を介して電子デバイスに関連付けられたメタデータを受信し、前記メタデータによって参照されたデバイス登録プールにおけるエントリをプロビジョニングし、前記メタデータは、管理アカウントとペアリングされるのを待っている前記電子デバイスに関連付けられたデバイス識別子およびパブリックネットワークアドレスを含み、前記デバイス管理システムはさらに、
前記１つ以上のコンピュータ上で実行されるように構成された更新サーバを備え、前記更新サーバは、前記デバイス登録プールにおける各々のエントリに対応する前記複数の電子デバイスの各々の上で現在実行されているソフトウェアよりも新しいバージョンのソフトウェアが存在する場合、前記登録サーバに登録された前記複数の電子デバイスの各々のソフトウェアを更新しようと試み、前記デバイス管理システムはさらに、
前記１つ以上のコンピュータ上で実行されるように構成されたペアリングサーバを備え、前記ペアリングサーバは、前記電子デバイスを管理アカウントに関連付け、前記管理アカウントを用いて前記電子デバイスとの通信を許可し、前記デバイス管理システムはさらに、
前記１つ以上のコンピュータ上で実行されるように構成されたフロントエンドユーザインタフェースサーバを備え、前記フロントエンドユーザインタフェースサーバは、前記デバイス管理システム上の前記管理アカウントにアクセスするコンピュータデバイスから１つ以上の電子デバイスにアクセスするためのユーザインターフェイスを生成し、前記デバイス管理システムはさらに、
前記１つ以上のコンピュータ上で実行されるように構成されたバックエンドサーバを備え、前記バックエンドサーバは、前記デバイス管理システムに登録された複数の電子デバイスに関するデータへのアクセスを管理し、前記登録された複数の電子デバイスによって制御または監視される当該電子デバイスの運転条件に関する、前記ネットワークを介して受信された情報を編成する、デバイス管理システム。
【請求項２】
前記電子デバイスは、サーモスタットを含む、請求項１に記載のデバイス管理システム。
【請求項３】
前記デバイス識別子は、前記ネットワークのパブリックネットワーク部分を介して前記デバイス管理システムと通信するために、前記電子デバイスと前記電子デバイスによって用いられるパブリックネットワークアドレスとを識別する、請求項１に記載のデバイス管理システム。
【請求項４】
前記更新サーバは、前記デバイス登録プールにおける各々のエントリにアクセスし、次いで、各々のエントリにおける、パブリックネットワークアドレスおよびプライベートネットワークアドレスを含む前記メタデータを用いて、前記ネットワークの前記パブリックネットワーク部分および前記ネットワークのプライベートネットワーク部分を介して対応する電子デバイスに接続する、請求項１に記載のデバイス管理システム。
【請求項５】
前記更新サーバは、インストールされた現在のバージョンのソフトウェアについて前記電子デバイスに対してクエリを実行し、次いで、前記電子デバイスが複数のソフトウェアアップデートを許可する場合に前記ネットワークを介して前記電子デバイスに前記複数のソフトウェアアップデートを送信する、請求項１に記載のデバイス管理システム。
【請求項６】
前記管理アカウントを用いる前記電子デバイスおよびコンピュータデバイスがともに同じパブリックネットワークアドレスを有する場合、前記ペアリングサーバは、前記電子デバイスに関連付けられた前記デバイス登録プールにおけるエントリを管理アカウントに自動的にペアリングし得る、請求項１に記載のデバイス管理システム。
【請求項７】
前記ペアリングサーバは、前記ネットワークの前記パブリックネットワーク部分を介して、前記ネットワークのプライベートネットワーク部分に位置する前記電子デバイスにパスコードを送信し、次いで、前記電子デバイスに関連付けられた前記デバイス登録プールにおける前記エントリを前記管理アカウントにペアリングするように構成されており、前記電子デバイスは前記パスコードを表示するように構成されており、前記管理アカウントは、前記パスコードの入力を受け付けるように構成されている、請求項１に記載のデバイス管理システム。
【請求項８】
前記フロントエンドユーザインタフェースサーバによって生成される前記ユーザインターフェイスは、前記管理アカウントとペアリングされた一次包囲空間を表す家の画像を表示し、さらに、前記一次包囲空間の内部の電子デバイスごとに１つ以上の電子デバイスの複数の画像を表示し、前記１つ以上の電子デバイスの前記複数の画像の各々の上に表示された現在の状況は、各々の電子デバイスが設置されている区域の状況を反映している、請求項１に記載のデバイス管理システム。
【請求項９】
前記フロントエンドユーザインタフェースサーバによって生成される前記ユーザインターフェイスはさらに、前記管理アカウントとペアリングされた二次包囲空間を表わす追加の家の画像を表示し、前記追加の家の前記画像は前記一次包囲空間を表わす前記家の前記画像と関連付けながら強調が抑えられている、請求項８に記載のデバイス管理システム。
【請求項１０】
前記バックエンドサーバはさらに、前記ネットワークの前記パブリックネットワーク部分を介して前記登録済みの複数の電子デバイスにアップロード可能な１つ以上の予め定められた動作条件スケジュールを提供する、請求項１に記載のデバイス管理システム。
【請求項１１】
前記ペアリングサーバはさらに、管理アカウント識別子が前記電子デバイスによって表示されたこと、および、前記電子デバイスを前記管理アカウントとペアリングすることを承認する入力が前記電子デバイスによって受信されたことの確認を前記電子デバイスから受信するように構成される、請求項６に記載のデバイス管理システム。
【請求項１２】
前記パブリックネットワークアドレスはルータに関連付けられ、前記ルータは、前記ネットワークのプライベートネットワーク部分の一部であり、前記ネットワークの前記パブリックネットワーク部分と前記ネットワークの前記プライベートネットワーク部分との間の通信を容易にし、前記管理アカウントを用いる前記電子デバイスおよび前記コンピュータデバイスは、前記ネットワークの前記プライベートネットワーク部分の一部でもある、請求項６に記載のデバイス管理システム。
【請求項１３】
前記電子デバイスに関連付けられた前記デバイス登録プールにおける前記エントリを前記管理アカウントと自動的にペアリングするために用いられる前記パブリックネットワークアドレスは、前記コンピュータデバイスが直前に前記管理アカウントにアクセスしたときのパブリックネットワークアドレスを含む、請求項６に記載のデバイス管理システム。
【請求項１４】
前記ペアリングサーバはさらに、前記電子デバイスを前記管理アカウントと自動的にペアリングしようと試み、前記電子デバイスを前記管理アカウントと自動的にペアリングしようとする試みが成功しなければ、前記電子デバイスを前記管理アカウントと手動でペアリングしようと試みるように構成される、請求項１に記載のデバイス管理システム。
【請求項１５】
前記管理アカウントがパブリックネットワークアドレスを通じてアクセスされ、かつ少なくとも１つの追加の管理アカウントが予め定められた期間内に同じパブリックネットワークアドレスからアクセスされていた場合、前記電子デバイスを前記管理アカウントに自動的にペアリングしようとする前記試みは成功しない、請求項１４に記載のデバイス管理システム。
【請求項１６】
前記フロントエンドユーザインタフェースサーバによって生成される前記ユーザインターフェイスはさらに、前記二次包囲空間の選択を受信し、前記二次包囲空間の前記選択を受信したことに応じて、前記二次包囲空間を表わす前記追加の家の前記画像と関連付けながら前記一次包囲空間を表わす前記家の前記画像の強調を抑えている、請求項９に記載のデバイス管理システム。
【請求項１７】
前記フロントエンドユーザインタフェースサーバによって生成される前記ユーザインターフェイスは、前記電子デバイスを制御するための１つ以上の条件設定点を受信するように構成され、前記１つ以上の条件設定点は１つ以上のバー制御を通じて受信され、前記１つ以上のバー制御の各々は週のうちの１日に対応する、請求項１に記載のデバイス管理システム。
【請求項１８】
前記フロントエンドユーザインタフェースサーバによって生成される前記ユーザインターフェイスは、前記ユーザインターフェイス上に１つ以上の条件設定点を一緒に表示するように構成され、前記１つ以上の条件設定点は時間スケールに従って間隔を空けて配置される、請求項１に記載のデバイス管理システム。
【請求項１９】
前記フロントエンドユーザインタフェースサーバによって生成される前記ユーザインターフェイスは、前記一次包囲空間内で動作する各々の電子デバイスについての別個の電子デバイスアイコンを表示するように構成される、請求項８に記載のデバイス管理システム。
【請求項２０】
前記フロントエンドユーザインタフェースサーバによって生成される前記ユーザインターフェイスは、前記電子デバイスのユーザインターフェイスの図形表現が前記電子デバイスのグラフィカルユーザインタフェースと同様の態様で条件制御および情報を表示するように、前記図形表現を表示するように構成される、請求項１に記載のデバイス管理システム。
【発明の詳細な説明】
【技術分野】
【０００１】
〔関連出願の相互参照〕
本ＰＣＴ特許出願は、２０１１年１０月１７日に出願された米国出願第１３／２７５，
３１１号の利益を主張し、それは参照により本明細書に組み込まれる。
【０００２】
本特許明細書は、暖房、冷房、および空気調整（ＨＶＡＣ）システムの監視および制御
などの、システム監視および制御に関する。より詳細には、本特許明細書は、１つまたは
複数のネットワーク接続されたサーモスタットをプロビジョニング、サポート、保守、お
よび／または遠隔制御するための方法、システムおよび関連したコンピュータプログラム
製品に関する。
【背景技術】
【０００３】
より新たな、およびより持続可能なエネルギー供給の開発に向けての相当な努力および
配慮が継続している。増加されたエネルギー効率によるエネルギーの保存は、世界のエネ
ルギーの未来にとって依然として重要である。米国エネルギー省からの２０１０年１０月
の報告書によると、暖房および冷房は、典型的な米国の家庭におけるエネルギー使用の５
６％を占め、ほとんどの家庭で最大のエネルギー費用となっている。家庭用暖房および冷
房に関連する物的設備における改善（例えば、改善された断熱、より高い効率の炉）と共
に、エネルギー効率の実質的な増加は、家庭用暖房および冷房装置のよりよい制御および
調節によって達成することができる。賢明に選択された時間間隔および慎重に選択された
動作レベルのために、暖房、換気、および空気調整（ＨＶＡＣ）装置を作動することによ
って、実質的なエネルギーを節約する一方で、同時に、生活空間をその居住者にとって適
切に居心地よく保つことができる。
【０００４】
多数の家庭が、既存の古いサーモスタットを、居住者を快適に保ちながらエネルギーを
節約できる、より進歩したＨＶＡＣ制御機能を有する、より新しいマイクロプロセッサ制
御型「インテリジェント」サーモスタットに交換してもらうことは、社会的レベルおよび
家庭ごとの両方で、有益であろう。これを行うために、これらのサーモスタットは、居住
者、ならびに、サーモスタットが配置されている環境からもっと多くの情報を必要とする
であろう。好ましくは、これらのサーモスタットは、現在および予測される戸外の気象デ
ータを取得し、所謂、需要応答プログラム（例えば、異常気象期間中に公益会社によって
発行され得る電力警告との自動適合）で協力し、ユーザーが、自分のネットワーク接続さ
れた装置（例えば、スマートフォン、タブレットコンピュータ、ＰＣベースのウェブブラ
ウザ）を通じて、それの遠隔アクセスおよび／または制御、ならびにネットワーク接続を
必要とし得る他の高度機能を行うことができるようにするため、ローカルエリアネットワ
ーク（または他の「プライベート」ネットワーク）およびインターネット（または他の「
公衆」ネットワーク）などのワイドエリアネットワークの両方を含む、コンピュータネッ
トワークに接続することも可能であろう。
【０００５】
他の要件の中で特に、インテリジェントなネットワーク接続されたサーモスタットの、
多数の家庭および事務所における幅広い、実用的な日常使用への成功した実施態様は、必
要なプロビジョニング、データ管理、およびサポートを提供可能な、コンピュータ、ネッ
トワーク、ソフトウェアシステムおよび他のネットワークインフラストラクチャの配備を
必要とする。インテリジェントサーモスタットと（「クラウドベース」管理サーバーとも
呼ばれ得る）中央で提供される管理サーバーとの間のデータ通信方法は、すぐに反応して
、堅牢で、拡張可能である必要がある。同時に、採用されるハードウェアおよび方法は、
ネットワーク接続されたインテリジェントサーモスタットの幅広い採用が商業的に実現可
能になるように、既に家庭および会社にある従来型のルーターおよびネットワークサービ
スの大規模なインストールベースと互換性があり、かつ、それを考慮して機能する必要が
ある。
【０００６】
インテリジェントなネットワーク接続されたサーモスタットの採用の促進において解決
する必要のある１つの更なる問題は、精巧化のレベル、ならびにかかるサーモスタットを
設置、構成、および管理するために必要な努力に関連する。これらのインテリジェントサ
ーモスタットの恩恵が実現されるにつれて、広範囲にわたる個人および会社が必然的にそ
れらの採用に関心を持つであろう。削減される費用およびエネルギー節約を計算している
人々は、かかる装置を購入するのにやぶさかではないかも知れないが、設置、構成、およ
び管理となると躊躇し得る。サーモスタットと共に提供される設置およびユーザーマニュ
アルで提供された指示に従うことができるかどうか迷う人がいるかも知れない。サーモス
タット装置にネットワーク接続を追加することは、ユーザーがコンピュータおよびネット
ワーキングに精通していない場合、さらに厄介なことになり得る。
【０００７】
これらおよび他の付随する問題を克服するために、インテリジェントサーモスタットは
、容易に設置、構成、および管理されることが重要である。多数のステップのある複雑な
設置指示は、多数のユーザーを混乱させて、インテリジェントサーモスタットが正しく設
置またセットアップされるのを阻止し得るので、避けられるべきである。設置時に、ユー
ザーが多数のコードおよびネットワークアドレスをインテリジェントサーモスタットおよ
び／または機器の他の部品上で入力する必要がある場合にも設置の問題が生じ得る。代わ
りに、インテリジェントサーモスタットの設置および構成は、「技術」において制限され
た経験および知識をもつユーザーによってさえ、達成可能にすべきである。
【０００８】
インテリジェントなネットワーク接続されたサーモスタットの採用の促進において解決
する必要のある１つの更なる問題は、かかるサーモスタットとやりとりする際にユーザー
によって経験されるであろうヒューマンマシンインタフェースに関する。インテリジェン
トなネットワーク接続されたサーモスタットならびに、関連したクラウドベースのプロビ
ジョニング、管理、および、これによってエネルギーを節約するだけでなく、それ故、ユ
ーザーフレンドリで、直感的で、楽しく、ユーザーに対して魅力的なエクスペリエンスも
提供する、制御システムを提供することは望ましいであろう。かかる肯定的で説得力のあ
るエクスペリエンスを、物理的なサーモスタット自体のユーザーインタフェース（すなわ
ち、「ウォークアップ（ｗａｌｋ−ｕｐ）ユーザーインタフェース」）で直接提供するこ
とに加えて、ユーザーが、自分のコンピュータのウェブブラウザ、スマートフォン、タブ
レットコンピュータ、または他の遠隔アクセス装置を使用して、それらのネットワーク接
続されたサーモスタットとコンピュータネットワークを通じて遠隔でやり取りする場合に
、かかる肯定的で説得力のあるユーザーエクスペリエンスを提供することは望ましいであ
ろう。
【０００９】
例示的な実施形態は、ＨＶＡＣシステム制御の特定の文脈について本明細書に提示され
るが、本開示に照らして当業者に明らかであろうように、水使用量、空気使用量、他の天
然資源使用量、および他の（すなわち、非ＨＶＡＣ関連）形態のエネルギーの使用量を含
むが、これらに限定されない、実施形態が容易に適用可能である多種多様な他の資源使用
量の文脈が存在することを理解されたい。したがって、かかる他の資源使用量文脈におけ
る実施形態のかかる適用は、本教示の範囲外ではない。
【発明の概要】
【課題を解決するための手段】
【００１０】
本発明の態様は、ネットワーク接続されたサーモスタットのプロビジョニング、設置、
構成、制御、および／または管理を容易にするための方法、システム、および関連アーキ
テクチャを提供する。１つの好ましい実施形態では、関与するユーザー努力の量を減らす
か、または最小限にするような方法で、無線で通信するサーモスタットの、クラウドベー
スのサーモスタット管理システム上のユーザーアカウントとの、安全な自動的関連付け、
または「ペアリング」のための方法を提供する。サーモスタットの最初の設置および電源
投入時に（または、それに続く、再設置もしくはファクトリリセットなどに対して）、サ
ーモスタットは自動的に、サーモスタットがその中に設置される、家庭、会社、または他
の構造（「包囲空間」）にサービスするローカルエリアネットワークに関連付けられた統
合ルーター（「プライベートネットワークルーター」）への無線接続のインスタンスを生
成し、サーモスタットは、ユーザーを、電子ディスプレイを含むサーモスタット上の直感
的なユーザーインタフェースによって、無線ネットワーク選択（複数の無線ネットワーク
が存在する場合）および無線ネットワークセキュリティパスワード入力（要求される場合
）をウォークスルーさせる。プライベートネットワークルーターによってサービスされる
プライベートネットワーク上に配置されている、サーモスタットが、次いで、インターネ
ットなどの公衆ネットワーク上に配置されている、クラウドベースのサーモスタット管理
システムとの通信のインスタンスを生成するように構成およびプログラムされる。クラウ
ドベースのサーモスタット管理システムは、作成した各ユーザーアカウントに対して（電
子メールアドレスなどの）一意のアカウント識別子、および製造された各サーモスタット
ユニットに対して（ＭＡＣアドレスなどの）一意のサーモスタット識別子を保持する。
【００１１】
削減されたか、または最小限のユーザー努力で、新しく設置したサーモスタットを関連
したユーザーアカウントとペアリングするための方法では、クラウドベースのサーモスタ
ット管理サーバーが、各ユーザーアカウントに対して、ユーザーが、クラウドベースのサ
ーモスタット管理サーバー上の彼らのユーザーアカウントにそこからごく最近アクセスし
たパブリックネットワークアドレスを追跡し、かかる追跡は、以前に確立されたユーザー
アカウントおよび新しく確立されたユーザーアカウントの両方に対して適用可能である。
クラウドベースのサーモスタット管理システムとの通信のインスタンスを生成すると、新
しく設置されたが、まだペアリングされていないサーモスタット（「ペアリング候補サー
モスタット」）は、その一意のサーモスタット識別子を含む、それに関連付けられたサー
モスタットメタデータ情報を、クラウドベースのサーモスタット管理サーバーに伝送し、
この情報は、クラウドベースのサーモスタット管理サーバーに向かう途中、プライベート
ネットワークルーターのパブリックネットワークアドレスが付加される。クラウドベース
のサーモスタット管理サーバーは、次いで、ペアリング候補サーモスタットが、（ｉ）ペ
アリング候補サーモスタットのプライベートネットワークルーターのパブリックネットワ
ークアドレスと（ｉｉ）ユーザーアカウントがそこから最近アクセスされた、追跡された
パブリックネットワークアドレスとの比較に基づいて、自動的にユーザーアカウント識別
子に関連付けられ得るかどうかを判断する。ペアリング候補サーモスタットのプライベー
トネットワークルーターのパブリックネットワークアドレスと、１つのユーザーアカウン
トがそこから最近アクセスされたパブリックネットワークアドレスが一致する場合、その
サーモスタットに対する一意のサーモスタット識別子と、そのユーザーアカウントに対す
る一意のアカウント識別子との間に自動関連付けが確立される。かかる一致がない場合、
または、複数の所定のセーフガード方法または基準のいずれかが満たされない場合、ユー
ザーは、サーモスタットのユーザーインタフェースディスプレイ上で、ペアリングプロセ
スを手動で支援するように指示される。手動の支援プロセスについて、サーモスタットは
、クラウドベースのサーモスタット管理サーバーから覚えやすいパスコードを提供され、
次いで、その覚えやすいパスコードを、ユーザーに対してサーモスタットディスプレイ上
に表示して、ユーザーに、クラウドベース管理サーバー上の彼らのユーザーアカウントに
ログインするか、または、彼らのユーザーアカウントがまだ確立されていない場合は、そ
れを確立し、その後、そう指示されるとそのパスコードを入力するように要求する。いく
つかの実施形態によれば、所定のセーフガード方法または基準は、ユーザーアカウント識
別子（例えば、ユーザーの電子メールアドレス）をサーモスタットディスプレイ画面に表
示すること、およびユーザーからサーモスタット内への肯定確認入力を要求することを含
む。
【００１２】
従って、比較的一般的であると思われる１つのシナリオでは、ユーザーは、家庭を彼ら
の新しいサーモスタットで駆動し、クラウドベースの管理サーバーにログインして、その
サーモスタットが使用しているであろう同じ無線対応ルーターを使用してインターネット
に接続する彼らの家庭内のコンピューティング装置からアカウント（例えば、ｔｏｍｓｍ
ｉｔｈ３＠ｍａｉｌｈｏｓｔ．ｃｏｍ）を確立し、次いで、彼らのサーモスタットを設置
して電源を入れるであろう。この場合、彼らのサーモスタットのプライベートネットワー
クルーターのパブリックネットワークアドレスと、彼らがそこから彼らのユーザーアカウ
ントを確立した、追跡されたパブリックネットワークアドレスとが一致し、そのため、彼
らの新しいサーモスタットの一意のサーモスタット識別子と、クラウドベース管理サーバ
ー上の彼らのユーザーアカウント識別子の自動関連付けまたは「ペアリング」が行われる
であろう。初期セットアップ中、ユーザーは単に、「ｔｏｍｓｍｉｔｈ３＠ｍａｉｌｈｏ
ｓｔ．ｃｏｍに接続するか？」などの、サーモスタットディスプレイ上のセーフガードメ
ッセージに遭遇し、彼らは彼ら自身の電子メールアドレスをよく知っているので、直ちに
確認入力を提供して、ペアリングプロセスが完了するであろう。しかし、好都合に、たと
え、かかる自動ペアリングが一致しない可能性があるか、または所定のセーフガード方法
もしくは基準が満たされない、いくつかのあまり一般的でないか、もしくは複雑なシナリ
オにおいてさえ、ユーザーは依然として、前述のように、クラウドベース管理サーバーで
ペアリングを確立するために、比較的単純な手動支援プロセスを提供されるであろう。い
くつかの実施形態によれば、所定のセーフガード方法または基準は、以下のいずれかの場
合に任意の（例えば、手動支援を要求する）ペアリング関連付けのキャンセルをさらに含
む：（ｉ）２つの異なるユーザーアカウントが、過去２４時間（または他の適切な時間窓
）内に、サーモスタットのプライベートネットワークルーターによって現在使用されてい
る、同じパブリックネットワークアドレスからログインされている、かつ（ｉｉ）同じパ
ブリックネットワークアドレスからクラウドベースのサーモスタット管理サーバーに同時
にアクセスしている、２つの異なるペアリング候補サーモスタットがある。曖昧さ、間違
い、またはありそうな不一致の特定ケースを検出するための他のヒューリスティックスま
たは試験方法が、本技術の範囲から逸脱することなく、任意選択で、追加のセーフガード
として適用できる。
【００１３】
別の好ましい実施形態によれば、サーモスタットを、ネットワーク接続を経由したコン
ピュータ装置との通信のために構成する方法が提供される。ネットワーク上のサーモスタ
ットを接続するため、ユーザーは、そのサーモスタットに関連付けられた無線ネットワー
クインタフェースコントローラを構成して、そのサーモスタットをプライベートネットワ
ークに（例えば、無線パスコードの入力、複数の利用可能なネットワークからの選択、な
どによって）接続する。プライベートネットワーク上のルーターが、サーモスタットから
、サーモスタット管理システムが配置されている公衆ネットワークへの接続を提供する。
一旦、サーモスタットがそのプライベートネットワークに接続されると、サーモスタット
は、サーモスタット識別子とともにサーモスタット管理システム上のサーモスタット登録
プール内に登録されるよう、サーモスタットメタデータを送信し、サーモスタットメタデ
ータは、サーモスタット管理サーバーへの途中で、ルーターのパブリックネットワークア
ドレスが付加される。サーモスタットに関連付けられたパブリックネットワークアドレス
は、ルーターによって、同じプライベートネットワーク上に配置された他のコンピュータ
装置およびサーモスタットと共有される。サーモスタット管理システムは、サーモスタッ
トが、サーモスタット管理アカウントに最近アクセスしているコンピュータ装置と同じプ
ライベートネットワーク上にあると判断される場合、サーモスタット登録プール内に登録
されたサーモスタットを、サーモスタット管理システム上のサーモスタット管理アカウン
トにペアリングする。ペアリング操作は、サーモスタットが、サーモスタット管理システ
ムを通じ、公衆ネットワークを介して、サーモスタット管理アカウントによってアクセス
されることを可能にする。
【００１４】
本発明の別の態様は、ネットワーク接続を有するサーモスタットと通信するために使用
されるサーモスタット管理システム上にサーモスタット管理アカウントを作成することを
含む。一実施形態では、プライベートネットワーク上のコンピュータ装置上で実行するサ
ーモスタットアクセスクライアントが、公衆ネットワーク上のサーモスタット管理システ
ムにアクセスする。サーモスタットアクセスクライアントは、サーモスタット管理システ
ムに、アカウント名を使用してサーモスタット管理アカウントをプロビジョニングするよ
うに要求する。サーモスタット管理アカウントは、サーモスタット管理システム上に登録
された少なくとも１つのサーモスタットと通信するために使用されるだろう。プロビジョ
ニング操作の一部として、サーモスタット管理システムは、コンピュータ装置によって、
プライベートネットワークからサーモスタット管理システムにアクセスするために使用さ
れるパブリックネットワークアドレスを関連付ける。このパブリックネットワークアドレ
スは、コンピュータ装置と同じプライベートネットワーク上のサーモスタットを識別する
ために使用され、従って、サーモスタット管理アカウントとのペアリングに適している。
前述のように、同一のパブリックネットワークアドレスが、ルーターによって、同一のプ
ライベートネットワーク上に配置されたコンピュータ装置およびサーモスタットと共有さ
れる。一旦、それが作成されると、対応するパブリックネットワークアドレスが一致する
場合、サーモスタット管理システム上のサーモスタット管理アカウントが、同じプライベ
ートネットワーク上のサーモスタットにペアリングされ得る。再度、ペアリング操作は、
新しく作成されたサーモスタット管理アカウントが、サーモスタット管理システムを通じ
て、サーモスタットにアクセスし、それと通信することを可能にする。
【００１５】
本発明のさらに別の態様は、サーモスタットのサーモスタット通信アカウントとのペア
リングを自動的に容易にするためにサーモスタット管理システム上の論理の使用を含む。
一実施形態では、サーモスタット管理システムは、プライベートネットワーク上のコンピ
ュータ装置が、サーモスタット管理システム上のサーモスタット管理アカウントを確立し
ているか、またはそうでなければそれにアクセスしていることを検出する。例えば、これ
は、コンピュータ装置が、サーモスタット管理アカウントにアクセスするサーモスタット
アクセスクライアントを実行する場合に生じ得る。サーモスタット管理システムは、サー
モスタット管理アカウントにアクセスするコンピュータ装置に関連付けられたパブリック
ネットワークアドレスを受信する。次に、サーモスタット管理システムは、サーモスタッ
トからサーモスタットメタデータを受信するが、その通信は、サーモスタットに関連付け
られたプライベートネットワーク上のルーターによって提供されたパブリックネットワー
クアドレスを含むであろう。サーモスタットメタデータに登録されたパブリックネットワ
ークアドレスが、サーモスタット管理アカウントにアクセスするために他のコンピュータ
装置によって使用されるパブリックネットワークアドレスと一致する場合、サーモスタッ
ト管理アカウントとサーモスタットとの間の自動関連付けまたはペアリングが確立される
。その結果、サーモスタットが、サーモスタット管理アカウントにアクセスするコンピュ
ータ装置と同じパブリックネットワークアドレスを有することを比較が示す場合、サーモ
スタット管理アカウントがサーモスタットとペアリングされる。サーモスタット管理アカ
ウントをサーモスタットとペアリングすることは、サーモスタット管理アカウントが、サ
ーモスタット管理システムを通じ、パブリックネットワークを介して、サーモスタットと
通信することを可能にする。
【図面の簡単な説明】
【００１６】
【図１】１つまたは複数の環境状態を制御するために、本発明の実施形態に従って実施されたサーモスタットを使用する例示的な包囲空間を示す図である。
【図２】本発明の実施形態に従って設計されたサーモスタットを使用して制御されるＨＶＡＣシステムの概略図である。
【図３Ａ】本発明の実施形態に従って設計されたサーモスタットの前向き面およびディスプレイを示す。
【図３Ｂ】同上
【図４Ａ】本発明の実施形態に従って設計されたサーモスタットを制御するユーザーの手を示す。
【図４Ｂ】同上
【図５】本発明の実施形態に従って設計された公衆ネットワーク上のサーモスタット管理システムに接続されたプライベートネットワーク上のサーモスタットおよびコンピュータ装置を示す。
【図６】本発明の実施形態に従って設計されたサーモスタット管理システムを実施するために使用されるサーモスタット管理サーバーの組合せを示す。
【図７】本発明の実施形態に従って、サーモスタットをサーモスタット管理アカウントとペアリングするために、サーモスタット上で実行される操作を提供する流れ図である。
【図８Ａ】本発明の実施形態に従って、サーモスタット管理アカウントのサーモスタット管理システム上での作成および使用に関連した操作を提供する流れ図である。
【図８Ｂ】サーモスタットとサーモスタット管理アカウントとの間で自動的にペアリングされた関連付けのユーザー確認に関連したサーモスタットユーザーインタフェース画面を示す。
【図８Ｃ】サーモスタットとサーモスタット管理アカウントとの間の手動支援ペアリングに関連したサーモスタットユーザーインタフェース画面を示す。
【図９Ａ】本発明の実施形態に従った、サーモスタットのサーモスタット管理アカウントとの自動ペアリングに関連した概略図および流れ図を提示する。
【図９Ｂ】同上
【図９Ｃ】同上
【図９Ｄ】同上
【図９Ｅ】同上
【図１０Ａ】本発明の実施形態に従って設計されたサーモスタットアクセスクライアントからのユーザーインタフェースの一部を提示する。
【図１０Ｂ】同上
【図１０Ｃ】同上
【図１１Ａ】本発明の実施形態に従った、包囲空間に対するユーザーインタフェースにおけるオプションの設定および天気予報の取得を示す。
【図１１Ｂ】同上
【図１１Ｃ】同上
【図１２Ａ】本発明の実施形態に従って、サーモスタットに関連したオプションおよびスケジュールを設定するための、ユーザーインタフェースの概略図および流れ図を示す。
【図１２Ｂ】同上
【図１２Ｃ】同上
【図１２Ｄ】同上
【図１３】本発明の実施形態に従った、サーモスタットアクセスクライアントのユーザーインタフェース画面を示す。
【図１４Ａ】本発明の実施形態に従って、サーモスタットアクセスクライアントを使用する現在の設定点温度の変更を示す。
【図１４Ｂ】同上
【図１４Ｃ】同上
【図１５Ａ】スマートフォンまたは他のハンドヘルド装置上で実行されるサーモスタットアクセスクライアントに関連したユーザーインタフェース画面を示す。
【図１５Ｂ】同上
【図１５Ｃ】同上
【発明を実施するための形態】
【００１７】
以下の詳細な記述では、説明の目的で、本発明の様々な実施形態の完全な理解を提供す
るために、多数の具体的詳細が記載されている。当業者は、本発明のこれら様々な実施形
態は、例示に過ぎず、決して制限することを意図していないことを理解するであろう。本
発明の他の実施形態は、本開示の利益を得るかかる当業者に対して、容易に示唆となるで
あろう。
【００１８】
さらに、明確にするために、本明細書に記載される実施形態のルーチン機能の全ては示
されないか、または記述されない。当業者は、任意のかかる実際の実施形態の開発では、
特定の設計目的を達成するために、多数の実施形態固有の判断が要求され得ることを容易
に理解するであろう。これらの設計目的は、実施形態ごと、および開発ごとに異なるであ
ろう。さらに、かかる開発努力は、複雑で時間がかかり得るが、それにもかかわらず、本
開示の利益を得る当業者にとっては、日常的な工学上の作業であることが理解されるであ
ろう。
【００１９】
１つまたは複数の実施形態が、一戸建て住居等の住居用の家で使用される典型的なＨＶ
ＡＣシステムの文脈で本明細書にさらに記述される一方で、本教示の範囲は、さほど限定
されないことを理解されたい。より一般に、１つまたは複数の好ましい実施形態に従った
サーモスタットは、限定なしに、二世帯住宅、タウンホーム、集合住宅、ホテル、小売店
、事務所用建物、および産業施設を含む、１つまたは複数のＨＶＡＣシステムを有する多
岐にわたる包囲空間に適用可能である。さらに、ユーザー、顧客、設置者、自家所有者、
居住者、客、テナント、家主、修理人等という用語は、本明細書に記載される１つまたは
複数のシナリオの文脈で、サーモスタットまたは他の装置またはユーザーインタフェース
と対話する人物（単数または複数）を指すように使用され得る一方で、これらの参照は、
かかる動作を行っている人物（単数または複数）に関して、本教示の範囲を限定するもの
とは決して見なされないことを理解されたい。
【００２０】
図１は、１つまたは複数の環境状態を制御するために、本発明の実施形態に従って実施
されたインテリジェントサーモスタット（以下、サーモスタット）を使用する例示的な包
囲空間を示す図である。例えば、包囲空間１００は、ＨＶＡＣシステム１２０によって提
供される暖房および冷房の制御用にサーモスタット１１０を使用する、一戸建て住宅タイ
プの包囲空間を示す。本発明の代替実施形態は、二世帯住宅、共同住宅内の区画、事務所
もしくは小売店などの軽商業構造、またはこれらおよび他のタイプの包囲空間の組合せで
ある構造もしくは包囲空間を含む、他のタイプの包囲空間とともに使用され得る。
【００２１】
図１のサーモスタット１１０のいくつかの実施形態は、包囲空間１００に関連した環境
からデータを収集するために１つまたは複数のセンサーを組み込む。サーモスタット１１
０に組み込まれたセンサーは、居住状態、温度、光、および他の環境状態を検出して、Ｈ
ＶＡＣシステム１２０の制御および動作に影響を与え得る。サーモスタット１１０内に組
み込まれたセンサーは、サーモスタット１１０の表面から突き出ず、それにより、家また
は他の包囲空間内の居住者から注目を集めない、しゃれた上品な設計を提供する。結果と
して、サーモスタット１１０は、インテリアデザインの全体的な魅力を増大させながら、
ほとんど全ての装飾に容易に適合する。
【００２２】
本明細書では、「学習」サーモスタットは、少なくとも１つの自動的に検知された事象
および／または少なくとも１つの過去もしくは現在のユーザー入力に基づいて、暖房およ
び／または冷房スケジュールにおける少なくとも１つの将来の設定点を自動的に確立およ
び／または修正する機能を有する、サーモスタット、またはマルチサーモスタットネット
ワーク内の複数の通信するサーモスタットのうちの１つを指す。本明細書では、「一次」
サーモスタットは、ＨＶＡＣシステムにつながるＨＶＡＣ制御線（例えば、Ｗ、Ｇ、Ｙ、
など）への電気的接続によってなど、ＨＶＡＣシステムの全部または一部を作動させるた
めに電気的に接続されているサーモスタットを指す。本明細書では、「補助的」サーモス
タットは、ＨＶＡＣシステムを作動させるために電気的に接続されていないが、別の方法
で少なくとも１つのセンサーを含み、一次サーモスタットとのデータ通信によってＨＶＡ
Ｃシステムの一次サーモスタット制御に影響を与えるか、またはそれを容易にする、サー
モスタットを指す。１つの特に有用なシナリオでは、サーモスタット１１０は、一次学習
サーモスタットであり、壁掛け式で、ＨＶＡＣ制御線の全てに接続されるが、他方、遠隔
サーモスタット１１２は、ナイトテーブルまたはドレッサー上に置かれる補助的学習サー
モスタットであり、補助的学習サーモスタットは、一次学習サーモスタットと外見および
ユーザーインタフェース機能が類似しており、補助的学習サーモスタットは、一次学習サ
ーモスタットと同様の検出機能（例えば、温度、湿度、モーション、周辺光、近接度）を
さらに有するが、補助的学習サーモスタットは、ＨＶＡＣワイヤーのいずれにも接続され
ていない。補助的学習サーモスタットは、ＨＶＡＣワイヤーのいずれにも接続されていな
いが、例えば、包囲空間内のそのそれぞれの位置で追加の温度データを提供すること、追
加の居住状態情報を提供すること、ユーザーに対して追加のユーザーインタフェースを提
供することなどにより、ＨＶＡＣシステムの改善された制御のために、一次学習サーモス
タットと無線で通信して、それと協働する。
【００２３】
サーモスタット１１０が一次学習サーモスタットであり、遠隔サーモスタット１１２が
補助的学習サーモスタットである、ある実施形態が特に有利であるが、本教示の範囲はそ
のように限定されないことを理解されたい。従って、例えば、サーモスタットが一次学習
サーモスタットである場合、ネットワーク接続されたサーモスタットをオンラインユーザ
ーアカウントと自動的にペアに関連付ける、ある初期プロビジョニング方法が特に好都合
であるが、本方法は、さらに一般的に、一次非学習サーモスタット、補助的学習サーモス
タット、補助的非学習サーモスタット、または他のタイプのネットワーク接続されたサー
モスタットおよび／もしくはネットワーク接続されたセンサーを伴うシナリオに適用可能
である。さらなる例として、サーモスタットが一次学習サーモスタットである場合、サー
モスタットの遠隔制御用のあるグラフィカルユーザーインタフェースが特に好都合であり
得るが、本方法は、さらに一般的に、一次非学習サーモスタット、補助的学習サーモスタ
ット、補助的非学習サーモスタット、または他のタイプのネットワーク接続されたサーモ
スタットおよび／もしくはネットワーク接続されたセンサーを伴うシナリオに適用可能で
ある。もっとさらなる例として、サーモスタットが一次学習サーモスタットである場合、
遠隔クラウドベース管理サーバーによるサーモスタットの協働した電池節約情報のポーリ
ングの特定の方法が特に好都合であり得るが、本方法は、さらに一般的に、一次非学習サ
ーモスタット、補助的学習サーモスタット、補助的非学習サーモスタット、または他のタ
イプのネットワーク接続されたサーモスタットおよび／もしくはネットワーク接続された
センサーを伴うシナリオに適用可能である。
【００２４】
包囲空間１００は、無線で、および有線接続を通じての両方でアクセス可能なプライベ
ートネットワークをさらに含み、ローカルエリアネットワークまたはＬＡＮとしても参照
され得る。プライベートネットワーク上のネットワーク装置は、本発明のいくつかの実施
形態に従って、コンピュータ１２４、サーモスタット１１０、および遠隔サーモスタット
１１２を含む。いくつかの実施形態では、プライベートネットワークは、ルーティング、
無線アクセスポイント機能、ファイアウォール、および、コンピュータ１２４などの、様
々な有線ネットワーク装置への接続のための複数の有線接続ポートを提供する統合ルータ
ー１２２を使用して、実施される。他の実施形態は、統合ルーター１２２によって提供さ
れる機能と同等な、または、それに追加のネットワーキング機能を実行するために、複数
の離散スイッチ、ルーター、および他の装置（図示せず）を代わりに使用し得る。
【００２５】
包囲空間１００が、一般に、ケーブルモデム、ＤＳＬモデム、およびインターネットま
たは他の公衆ネットワークのサービスプロバイダを通して、公衆ネットワークに接続する
場合、統合ルーター１２２は、ネットワーク装置に、インターネットなどの公衆ネットワ
ークへのアクセスをさらに提供する。インターネットおよび他の公衆ネットワークは、ワ
イドエリアネットワークまたはＷＡＮと呼ばれることもある。一実施形態では、統合ルー
ター１２２は、ＴＣＰ／ＩＰなどの、ネットワークプロトコルを使用して、通信をこれら
のネットワーク上の他の装置に向け得る。通信が、プライベートネットワークの外部の装
置またはサービスに向けられる場合、統合ルーター１２２は、プライベートネットワーク
の外部の通信を、インターネットなどの公衆ネットワークにルーティングし得る。
【００２６】
いくつかの実施形態では、サーモスタット１１０は、プライベートネットワークを介し
て、または遠隔サーモスタット１１２と直接形成されたアドホックのネットワークを通し
て、遠隔サーモスタット１１２と無線で通信し得る。遠隔サーモスタット１１２との通信
中、サーモスタット１１０は、ユーザーから、および遠隔サーモスタット１１２によって
検出可能な環境から、遠隔で情報を収集し得る。例えば、遠隔サーモスタット１１２は、
サーモスタット１１０と無線で通信して、遠隔サーモスタット１１２の遠隔位置からユー
ザー入力を提供し得るか、もしくは情報をユーザーに表示するために使用され得るか、ま
たは両方であり得る。サーモスタット１１０同様、遠隔サーモスタット１１２の実施形態
も、居住状態、温度、光、および他の環境状態に関連したデータを収集するためにセンサ
ーを含み得る。代替実施形態では、遠隔サーモスタット１１２は、包囲空間１００の外部
にも配置され得る。
【００２７】
いくつかの実施形態に従って、包囲空間１００内のコンピュータ装置１２４は、インタ
ーネットなどの公衆ネットワーク上に配置されたサーモスタット管理システム（図１に示
さず）を通して、サーモスタット管理アカウントにアクセスすることにより、サーモスタ
ット１１０を遠隔で制御し得る。サーモスタット管理システムは、サーモスタット１１０
も、サーモスタット管理システム上のサーモスタット管理アカウントに関連付けられてい
るか、またはペアリングされている場合、制御情報を、ネットワークを介してサーモスタ
ット１１０に戻す。サーモスタット１１０によって収集されたデータも、包囲空間１００
に関連付けられたプライベートネットワークから統合ルーター１２２を通して、サーモス
タット管理システムに公衆ネットワークを介して渡される。スマートフォン、ラップトッ
プおよびタブレットコンピュータなどの包囲空間１００内にない他のコンピュータ装置（
図１に示さず）も、それらが公衆ネットワークならびにサーモスタット管理システムおよ
びサーモスタット管理アカウントの両方にアクセスする場合、サーモスタット１１０を制
御し得る。インターネットなどの、公衆ネットワークのアクセスについてのさらなる詳細
、および本発明の実施形態に従ったサーモスタット１１０のようなサーモスタットが、本
明細書で後にさらに詳述される。
【００２８】
図２は、本発明の実施形態に従って設計されたサーモスタットを使用して制御されるＨ
ＶＡＣシステムの概略図である。ＨＶＡＣシステム１２０は、図１に示す一戸建て住居な
どの、包囲空間１００に対して、暖房、冷房、換気、および／または空気処理を提供する
。システム１２０は、強制空気タイプの暖房および冷房システムを示しているが、別の実
施形態に従って、放射熱ベースシステム、ヒートポンプベースシステム、および他などの
、他のタイプのＨＶＡＣシステムが使用され得る。
【００２９】
暖房において、空気処理機２４０内の加熱コイルまたは加熱要素２４２は、電気または
ガスを使用して、回線２３６を介して熱源を提供する。冷気は、送風機２３８を使用して
、包囲空間から還気ダクト２４６を介してフィルタ２７０を通じて引かれ、加熱コイルま
たは加熱要素２４２で加熱される。加熱された空気は、１つまたは複数の位置で、給気ダ
クトシステム２５２およびレジスタ２５０等の給気レジスタを介して包囲空間の中に還流
する。冷房においては、外側の圧縮機２３０が、フレオン等のガスを、一組の熱交換器コ
イル２４４に通過させて、ガスを冷却する。ガスは次いで、回線２３２を介して空気処理
機２４０内の冷却コイル２３４に行き、そこでそれは膨張し、冷却され、送風機２３８を
介して循環されている空気を冷却する。加湿器２５４は、任意選択として、空気がダクト
システム２５２を通過する前に湿気を空気に戻す様々な実施形態に含まれ得る。図２には
示されないが、ＨＶＡＣシステム１２０の代替実施形態は、外側との空気の循環、気流を
ダクトシステム２５２内で制御するための１つまたは複数のダンパー、および緊急用の暖
房ユニットなどの他の機能を有し得る。ＨＶＡＣシステム１２０の全体の操作は、制御線
２４８を通じて、サーモスタット１１０と通信する制御電子機器２１２によって選択的に
作動される。
【００３０】
図３Ａ〜図３Ｂは、本発明の実施形態に従って設計されたサーモスタットを示す。サー
モスタット１１０の内部は、サーモスタット１１０を、図１および図２に示すＨＶＡＣシ
ステム１２０などの、ＨＶＡＣシステムに電気的に接続する制御回路である。サーモスタ
ット１１０内部のマイクロプロセッサ（図示せず）は、ＨＶＡＣシステム１２０の操作お
よび制御に関連した処理情報を含む様々な計算を実行するために利用可能である。通信す
るために、ＬＡＮなどのプライベートネットワークおよび公衆ネットワークまたはインタ
ーネットなどのワイドエリアネットワーク（ＷＡＮ）を介して、無線または有線通信を可
能にする、ネットワークインタフェースコントローラまたはＮＩＣ（図示せず）もサーモ
スタット１１０内に提供される。
【００３１】
図示する実施形態では、サーモスタット１１０は、カバー３０４および格子部材３０８
を含む、前向き面（ｆｏｒｗｒｄ−ｆａｃｉｎｇ  ｓｕｒｆａｃｅ）を有する筐体３１６
によって囲まれる。格子部材３０８は、サーモスタットの筐体３１６内に配置されたセン
サーの統合および動作を容易にしながら、サーモスタット１１０の滑らかで、単純で、整
頓され、優美な設計に敬意を表すように設計されている。特に、いくつかの好ましい実施
形態に従ったサーモスタット内に含まれているのは、格子部材３０８の後ろの受動型赤外
線（ＰＩＲ）居住センサーおよび温度センサーである。追加のセンサーは、カバー３０４
のすぐ後ろで、サーモスタットの上端の近くに位置付けられた、周辺光センサー（図示せ
ず）およびアクティブ近位センサー（図示せず）も含み得る。筐体３１６のいくつかの実
施形態は、バックプレート３１４およびヘッドユニット３１２を含む。筐体３１６は、サ
ーモスタット１１０によって使用されて、その中に含まれる１つまたは複数の統合された
センサーに対して魅力的で耐久性のある構成を提供する。
【００３２】
カバー３０４の中央ディスプレイ領域３０６は、サーモスタットの動作に関連した情報
が表示されることを可能にし、他方、カバー３０４の外側領域３１０は塗装またはスモー
ク仕上げを使用して、不透明にされ得る。例えば、中央ディスプレイ領域３０６は、図３
Ａに示すように、現在の温度を数字で表示するために使用され得、「７５」は７５度を示
す。中央ディスプレイ領域３１６は、無線ネットワークの１つを選択、アクセス、および
使用するためにするためにサーモスタット１１０を構成するため、筐体１００内で利用可
能な無線ネットワークを表示し、ユーザーインタフェースを提示するためにも使用され得
る。
【００３３】
サーモスタット１１０の実施形態は円形の形状で、ユーザー入力を受信するための外側
リング３１２を有する。図３Ｂのサーモスタット１１０の側面図は、外側リング３０２の
対応する表面部分に一致する、徐々に外側に弧を描く、カバー３０４および格子部材３０
８のこの湾曲した球状をさらに強調する。いくつかの実施形態では、カバー３０４の湾曲
は、中央ディスプレイ領域３０６に表示される情報を拡大する傾向があり得、従って、情
報をユーザーによって読み易くする。サーモスタット１１０の形状は、それが壁に取り付
けられるとき、視覚的に魅力的なアクセントだけでなく、ユーザーが手で触って調整する
のに自然な形状も提供する。その結果、サーモスタット１１０の直径は、およそ８０ｍｍ
または手に適合し易い別の直径であり得る。様々な実施形態では、回転する外側リング３
０２は、ユーザーが、新しい標的温度の選択などの、調整を行うことを可能にする。例え
ば、標的温度は、外側リング３０２を時計回りに回転させることによって増加され得、外
側リング３０２を反時計回りに回転させることによって減少され得る。
【００３４】
図４Ａ〜図４Ｂは、本発明の実施形態に従って設計されたサーモスタットを制御するユ
ーザーの手を示す。図に示すように、サーモスタット１１０は、壁に取り付けられ、円形
の形状で、ユーザー入力を受信するための回転可能な外側リング３０２を有する。サーモ
スタット１１０上のカバー３０４は、サーモスタット１１０の動作前、動作中、および動
作後に、ユーザーに情報およびフィードバックを提供するための中央ディスプレイ領域３
０６を含む。いくつかの実施形態では、カバー３０４の外側領域３１０は、ユーザーがサ
ーモスタット１１０を押すか、または他の方法で操作するための領域の輪郭を示し、従っ
て、塗装またはスモーク仕上げで不透明にされている。格子部材３０８は、サーモスタッ
ト１１０を見ているか操作している間に、ユーザーが手を置き得る追加の領域を提供する
。
【００３５】
サーモスタット１１０のヘッドユニット３１２は、バックプレート（図示せず）の方に
スライドし、ヘッドユニット前面４０２およびヘッドユニット枠４０４をさらに含む。ヘ
ッドユニット前面４０２は、本発明の実施形態に従って設計された、外側リング３０２、
カバー３０４の中央ディスプレイ領域３０６および外側領域３１０、ならびに格子部材３
０８を含む。
【００３６】
いくつかの実施形態によれば、ユーザーに自信を抱かせ、かつ更に視覚的および機能的
簡潔さを促進するという組み合わされた目的のために、サーモスタット１１０は、２つの
タイプのユーザー入力のみによって制御され、このうち第１のタイプは、図４Ａに示すよ
うに、外側リング３０２の回転（「リングを回転する」としても参照される）であり、第
２のタイプは、図４Ｂに示すように、可聴のおよび／または触覚の「カチッ」という音が
生じるまでの、ヘッドユニット前面４０２上の内方向への押しである。いくつかの実施形
態によれば、図４Ｂに示す内方向への押しは、外側リング３０２を前方に移動させるのみ
である一方で、他の実施形態では、ヘッドユニット前面４０２全体が、押されるとき一緒
に内方向に移動する。いくつかの実施形態では、カバー３０４および格子部材３０８は、
外側リング３０２と共に回転しない。
【００３７】
いくつかの実施形態によれば、ヘッドユニット前面４０２の内方向押しが実施される方
法に応じて、複数のタイプのユーザー入力が生成され得る。いくつかの実施形態では、可
聴のおよび／または触覚の「カチッ」という音が生じるまでの、ヘッドユニット前面４０
２の内方向へのシングル短押しに続く解放（シングルクリック）は、１つのタイプのユー
ザー入力（「内方向クリック」としても参照される）と解釈され得る。他の実施形態では
、ヘッドユニット前面４０２を押し込んで、１〜３秒など、ある期間、内方向の圧力で保
持することは、別のタイプのユーザー入力（「プレスアンドホールド」としても参照され
る）と解釈され得る。いくつかのさらなる実施形態によれば、ダブルクリックおよび／ま
たは複数クリック、ならびに長期間および／または短期間のプレスアンドホールドなど、
他のタイプのユーザー入力がユーザーによって実施され得る。他の実施形態によれば、速
度感受性または加速感受性回転入力も、さらなるタイプのユーザー入力（例えば、非常に
大きく迅速な左方向の回転が「留守」の居住状態を指定する一方で、非常に大きく迅速な
右方向の回転は「在宅」の居住状態を指定する）を作成するために実施され得る。
【００３８】
図５は、本発明の実施形態に従って設計されたクラウドベースのサーモスタット管理シ
ステム５０６（以下、単に「サーモスタット管理システム」５０６）に接続されたプライ
ベートネットワーク５０２上のサーモスタットおよびコンピュータを示す。一実施形態で
は、プライベートネットワーク５０２は、ネットワーク接続を主として、図１に示す包囲
空間１００などの、包囲空間内またはその近くに提供するように設計される。プライベー
トネットワークは、追加として、ネットワーク接続を、スマートフォン５０８、タブレッ
ト５１０、コンピュータ５１２、およびラップトップ５０２などの様々な装置、ならびに
サーモスタット１１０および遠隔サーモスタット１１２に提供する。図１の統合ルーター
１２２などの、プライベートネットワーク５０２内のルーター（図示せず）は、ＴＣＰ／
ＩＰなどのネットワークプロトコルを使用して、これらの装置に対して有線および無線通
信を提供し得る。好ましくは、サーモスタット１１０および遠隔サーモスタット１１２は
、少なくとも、サーモスタットの位置への有線接続が利用できない可能性があるか、また
はサーモスタット１１０もしくは遠隔サーモスタット１１２のいずれかにおいてかかる物
理接続を組み込むことが望ましくない可能性があるという理由のために、プライベートネ
ットワーク５０２に無線で接続される。いくつかの実施形態に対して、サーモスタット１
１０および遠隔サーモスタット１１２が、好ましくは装置間に直接セットアップされたア
ドホックなネットワーク５１７を使用し、プライベートネットワーク５０２を迂回して、
互いに、および他の装置と、無線で直接通信することも可能である。
【００３９】
本明細書に記載の実施形態は、家庭および事務所の多数の人口に対応する多種多様な従
来型の統合ルーターと互換性があるように有利に構成される。従って、限定としてではな
くほんの一例として、図５のプライベートネットワーク５０２に対応するルーター（図示
せず）は、例えば、Ｄ−Ｌｉｎｋ  ＤＩＲ−６５５  Ｅｘｔｒｅｍｅ  Ｎ  Ｗｉｒｅｌｅ
ｓｓ  Ｒｏｕｔｅｒ、Ｎｅｔｇｅａｒ  ＷＮＤＲ３７００  ＲａｎｇｅＭａｘ  Ｄｕａｌ
Ｂａｎｄ  Ｗｉｒｅｌｅｓｓ  ＵＳＢ  Ｇｉｇａｂｉｔ  Ｒｏｕｔｅｒ、Ｂｕｆｆａｌ
ｏ  Ｔｅｃｈｎｏｌｏｇｙ  Ｎｆｉｎｉｔｉ  ＷＺＲ−ＨＰ−Ｇ３００ＨＮ  Ｗｉｒｅｌ
ｅｓｓ−Ｎ  Ｒｏｕｔｅｒ、Ａｓｕｓ  ＲＴ−Ｎ１６  Ｗｉｒｅｌｅｓｓ  Ｒｏｕｔｅｒ
、Ｃｉｓｃｏ  Ｌｉｎｋｓｙｓ  Ｅ４２００  Ｄｕａｌ  Ｂａｎｄ  Ｗｉｒｅｌｅｓｓ  
Ｒｏｕｔｅｒ、またはＣｉｓｃｏ  Ｌｉｎｋｓｙｓ  Ｅ４２００  Ｄｕａｌ  Ｂａｎｄ  
Ｗｉｒｅｌｅｓｓ  Ｒｏｕｔｅｒであり得る。一般性を失うことなく、いくつかの記述は
、以下で、サーモスタット１１０／１１２が家庭環境で使用される例示的なシナリオをさ
らに参照するであろう。しかし、記述した実施形態は、そのように限定されず、住居用の
家、事務所、別荘、ホテル、ホテルの部屋、産業施設、および制御されるＨＶＡＣシステ
ムがある一般的などこかを含む、様々な包囲空間のいずれかにおいて、かかるサーモスタ
ット（または複数）の使用に適用可能であることを理解されたい。
【００４０】
サーモスタットアクセスクライアント５１６は、インターネットなどのワイドエリアネ
ットワークである、公衆ネットワーク５０４を通じてサーモスタット管理システム５０６
にアクセスするために、本発明の態様に従って設計されたクライアントアプリケーション
である。サーモスタットアクセスクライアント５１６は、異なる装置上で実行するように
設計されているので、複数のクライアントアプリケーションは、基礎となる装置プラット
フォームまたはオペレーティングシステムの要件に基づき、異なる技術を使用して開発さ
れ得る。いくつかの事例では、サーモスタットアクセスクライアント５１６は、ＨＴＭＬ
などのマークアップ言語、およびＳＡＦＡＲＩ（登録商標）、ＦＩＲＥＦＯＸ（登録商標
）、またはＩＮＴＥＲＮＥＴ  ＥＸＰＬＯＲＥＲ（登録商標）などのウェブブラウザ技術
の内部に表示される関連技術を使用して実施され得る。いくつかの実施形態では、コンピ
ュータ５１２は、インターネット上の特定のＵＲＬにナビゲートして、サーモスタット管
理システム５０６によってホストされるウェブサーバーから配信されるウェブページを表
示することにより、サーモスタットアクセスクライアント５１６を実行し得る。
【００４１】
さらに別の実施形態では、サーモスタットアクセスクライアント５１６は、Ａｐｐｌｅ
ｉＯＳオペレーティングシステム、Ａｎｄｒｏｉｄオペレーティングシステム、または
その他を実行する、スマートフォン５０８またはタブレット５１０などの、特定の装置上
にダウンロードして実行されるように設計されたスタンドアロンアプリケーションまたは
「アプリ（ａｐｐ）」であり得る。開発者は、装置製造業者によってソフトウェア開発ツ
ールキットまたはＳＤＫ内にパッケージされて提供される１組のアプリケーションプログ
ラミングインタフェース（ＡＰＩ）およびライブラリを使用して、これらのスタンドアロ
ンアプリケーションを作成する。一旦完成すると、「アプリ」は、品質、有用性、および
顧客満足を促進するためにアプリストア所有者によって監督される、アプリケーションス
トアまたは「アプリ」ストアを通じてそれぞれの装置にダウンロードするために、利用可
能にされる。
【００４２】
一実施形態では、図５に示すサーモスタット管理システム５０６は、サーモスタットア
クセスクライアント５１６を実行するプライベートネットワーク５０２上のコンピュータ
装置によって、公衆ネットワーク５０４を介してアクセスされ得る。サーモスタットアク
セスクライアント５１６は、サーモスタット１１０または遠隔サーモスタット１１２にア
クセスするため、コンピュータ装置の代わりに、サーモスタット管理システム５０６によ
ってプロビジョニングされたサーモスタット管理アカウント（図示せず）にアクセスする
。さらに、コンピュータ５１２などの、プライベートネットワーク５０２上のコンピュー
タ装置は、サーモスタット１１０および遠隔サーモスタット１１２からデータを収集する
ために、サーモスタットアクセスクライアント５１６およびサーモスタット管理アカウン
トを使用し得る。
【００４３】
サーモスタット１１０および遠隔サーモスタット１１２は、プライベートネットワーク
５０２または公衆ネットワーク５０４上の多数の異なる位置から遠隔にアクセスされ得る
。以下でさらに詳述するように、サーモスタット１１０などのサーモスタットを設置する
と、まず、サーモスタット管理システム５０６に登録し、次いで、サーモスタット管理シ
ステムに、サーモスタットと対応するサーモスタット管理アカウントとの間のペアリング
を作成するように要求する。その後、タブレット５１８などの装置が、公衆ネットワーク
５０４に直接、または依然としてこれらのサーモスタットにアクセスする一連の他のプラ
イベートネットワーク（図示せず）を通して接続され得るが、他方、それらが配置されて
いるプライベートネットワークの外部は、サーモスタット管理システム５２０を経由して
、接続され得る。一実施形態では、Ａｐｐｌｅ  ｉＯＳオペレーティングシステムを実行
するタブレット５１８は、サーモスタットアクセスクライアント５１６のｉＯＳ「アプリ
」バージョンを使用して、サーモスタット管理システム５０６およびサーモスタット管理
アカウントを通じて、これらのサーモスタットに遠隔でアクセスし得る。サーモスタット
をサーモスタット管理アカウントとペアリングすると、タブレット５１８および他のコン
ピュータ装置が、サーモスタット１１０および遠隔サーモスタット１１２などのサーモス
タットを、遠隔で、管理、データ収集、およびそれらと一般に対話することを可能にする
。
【００４４】
一実施形態では、サーモスタット管理システム５０６は、サーモスタットとの通信およ
び制御のタスクを、１つまたは複数のサーモスタット管理サーバー５２０に分散する。こ
れらのサーモスタット管理サーバー５２０は、サーモスタット１１０および遠隔サーモス
タット１１２などのサーモスタットによって生成されたデータを使用して、通信の調整、
アクセスの管理、データの処理、および結果の分析を行い得る。これらのサーバー５２０
上での計算からの中間結果および最終結果、ならびに生のデータが、将来の参照および使
用のために、サーモスタットデータベース５２２上に一時的に格納され得るか、またはア
ーカイブされ得る。また、サーモスタット管理サーバー５２０は、データの一部を制御情
報と共に、およびより一般的には、様々な異なる種類の情報のいずれかを、サーモスタッ
ト１１０および遠隔サーモスタット１１２に送信して戻すこともし得る。サーモスタット
管理サーバー５２０からの結果も、サーモスタットアクセスクライアント５１６を実行す
るタブレット５１８などの装置による後続のアクセスのために、１つまたは複数のサーモ
スタットデータベース５２２に格納し得る。
【００４５】
これらのサーモスタット管理サーバー５２０の各々が、１つまたはいくつかの個別の関
数を実行し得るか、これらの異なる個別の関数に対する冗長フェイルオーバーサーバーと
して機能し得るか、または、ある個別の関数の実行をタンデムまたはクラスタで、ならび
に、より複雑な操作をコンピュータの１つまたは複数のクラスタを介して、並行して、ま
たは分散して実行する他の組合せで、共有し得る。いくつかの実施形態では、サーモスタ
ット管理サーバー５２０のうちの１つは、物理コンピュータまたはコンピューティング装
置に直接対応し得るが、他の実施形態では、サーモスタット管理サーバー５２０は、カリ
フォルニア州パロアルトのＶＭＷＡＲＥ、または任意の他の仮想マシンプロバイダによっ
て提供されるような、仮想マシンコンピューティング環境の制御下で、１つまたは複数の
物理コンピュータ上で実行する仮想化サーバーであり得る。さらに別の実施形態では、サ
ーモスタット管理サーバー５２０およびサーモスタットデータベース５２２は、ワシント
ン州シアトルのＡｍａｚｏｎ．ｃｏｍからの提供のＥｌａｓｔｉｃ  Ｃｏｍｐｕｔｅ  Ｃ
ｌｏｕｄまたはＥＣ２などの「クラウド」コンピューティングおよびストレージ環境から
プロビジョニングされる。ＥＣ２ソリューションでは、例えば、サーモスタット管理サー
バー５２０は、間近のタスクに必要と考えられる、現実または仮想のいずれかの、いくつ
かのコンピュータに従うよりむしろ、プロセッササイクルおよびストレージ要件に従って
割り当てられ得る。
【００４６】
図６は、本発明の実施形態に従ったサーモスタット管理システム５０６を実施するため
に使用されるサーモスタット管理サーバー５２０の１つの組合せを示す。一実施形態では
、サーモスタット管理システム５０６は、登録サーバー６０２、更新サーバー６０４、ペ
アリングサーバー６０６、サーモスタットフロントエンドユーザーインタフェース（ＵＩ
）サーバー６０８、サーモスタットバックエンドサーバー６１０、およびサーモスタット
管理アカウントサーバー６１２を含む。相互接続６１４は、１つまたは複数の高速ネット
ワーク接続、共用バックプレーン、ローカルおよび遠隔高速接続の組合せ、ならびに１つ
または複数の仮想化接続を使用して、サーバーを接続し得る。サーモスタット管理サーバ
ー５２０の構成は例示であるが、決して限定と考えられるべきでなく、機能の分散は、サ
ーバーの異なる組合せおよびそれらのサーバーへの機能の分散を通して処理され得ると考
えられる。
【００４７】
いくつかの実施形態では、このサーモスタット管理システム５０６を構成するサーモス
タット管理サーバー５２０は、様々な地理的な位置および時間帯にわたる複数の包囲空間
に配置されているサーモスタットを管理し得る。各包囲空間は、図１のＨＶＡＣシステム
１２０などの、１つまたはいくつかのＨＶＡＣシステムを制御するために、本発明の実施
形態に従って、１つまたはいくつかのサーモスタットを使用し得る。いくつかの事例では
、サーモスタット管理システム５０６からのある機能に対する必要性の高まり、従って、
これらの機能を配信するためのより多くのサーバーに対する必要性の高まりがあり得る。
サーモスタット管理システム５０６の設計およびサーモスタット管理サーバー５２０の使
用が、システムに関するこれらの要求を満足するためにスケーリングされ得、処理、分析
、制御、およびマシン学習目的のために、これら複数の包囲空間およびサーモスタットか
らのデータを効率的に追跡および編成し得ることが理解され得る。
【００４８】
登録サーバー６０２の一実施形態は、サーモスタット管理システム５０６上でのサーモ
スタットの登録、およびそれをサーモスタット管理アカウントとペアリングするための準
備に関連したいくつかのサービスを提供する。操作中、サーモスタットが包囲空間のＨＶ
ＡＣに配線され、次いで、プライベートネットワークを通じてインターネットに接続され
ている場合、登録サーバー６０２は、まず、サーモスタットによってアクセスされ得る。
サーモスタットをシステム５２０上で知らせるために、サーモスタットはサーモスタット
メタデータをプライベートネットワークから、インターネットなどの公衆ネットワークに
送信し、次いで、登録サーバー６０２によって処理する。好ましくは、サーモスタットメ
タデータは、製造時に割り当てられるような、一意のサーモスタット識別子を含む。サー
モスタットメタデータを送信する通信は、プライベートネットワーク５０２にサービスす
るルーター（図示せず）のネットワークアドレス変換器（ＮＡＴ）を通過するときに、そ
のルーターのパブリックネットワークアドレスが付加されるが、それは、従って、サーモ
スタットによって公衆ネットワークを介して通信するために「使用」されるパブリックア
ドレスである。サーモスタット識別子は、そのサーモスタットを登録サーバー６０２によ
って登録されている他のサーモスタットから識別するために使用され、一部または全部に
おいて、サーモスタットのＮＩＣに割り当てられた媒体アクセス制御（ＭＡＣ）アドレス
に基づき得る。許可されていない装置の登録に対する１つの安全手段として、登録サーバ
ー６０２は、サーモスタットメタデータ内のＭＡＣアドレスをサーモスタットまたはＮＩ
Ｃコンポーネントの製造業者によって提供される有効ＭＡＣアドレスのリストに対して比
較し得る。一実施形態によれば、登録サーバー６０２がエントリをサーモスタット登録プ
ールにプロビジョニングして、そのサーモスタットエントリをサーモスタット管理アカウ
ントとペアリングする準備ができていると印を付けると、サーモスタット登録が完了する
。サーモスタット登録プール内のエントリは、それらの一意のサーモスタット識別子、そ
れらが使用したパブリックネットワークアドレス（または、より詳細には、それらがそれ
を介してインターネットに接続するプライベートネットワークルーターのパブリックアド
レス）、および任意選択でサーモスタットに関連付けられた他の関連メタデータによって
参照され得る。
【００４９】
いくつかの実施形態では、更新サーバー６０４は、サーモスタット登録プール内に登録
されたサーモスタットの各々に対するソフトウェア、ファームウェア、および構成アップ
デートを更新しようと試みる。登録プール内のエントリからのメタデータがバージョン管
理情報を除外する場合、更新サーバーは、各サーモスタットに設置されている現在のバー
ジョンについてさらに問い合わせる必要があり得る。更新サーバー６０４は、登録プール
内のエントリにアクセスし得、次いで、公衆ネットワークもしくはプライベートネットワ
ーク、またはその両方を介して、関連付けられたサーモスタットに接続するために、各エ
ントリ内の対応するネットワークアドレスを使用し得る。
【００５０】
サーモスタット上で現在使用されているよりも新しいソフトウェアバージョンが存在す
る場合、更新サーバー６０４は、続けて、ソフトウェアアップデートを公衆ネットワーク
を介してサーモスタットに送信する。例えば、更新サーバーは、新しいソフトウェアをア
ップロードする際に、ｆｔｐ（ファイル転送プロトコル）、ｔｆｔｐ（トリビアルファイ
ル転送プロトコル）、またはもっと安全な転送プロトコルなどの、ファイル転送プロトコ
ルを使用し得る。一旦、アップロードされると、サーモスタット上でのソフトウェアのイ
ンストレーションおよび更新が、サーモスタット上の自動更新オプションを通じて直ちに
、またはユーザーによって要求される通りにサーモスタットのインタフェースを通じて手
動で起こり得る。
【００５１】
ペアリングサーバー６０６の一実施形態は、サーモスタット管理アカウントサーバー６
１２上でサーモスタットのサーモスタット管理アカウントとの関連付けまたは「ペアリン
グ」を容易にする。「サーモスタット管理アカウント」という用語は、特に指定のない限
り、本明細書では「ユーザーアカウント」と区別しないで使用され得る。一旦、サーモス
タットがユーザーアカウントとペアリングされると、数多くの豊かなネットワーク対応機
能が、本明細書で、および上記の１つまたは複数の本発明の譲受人に譲渡された組み込ま
れた出願でさらに記述されるように、有効にされる。例えば、一旦ペアリングが達成され
ると、そのサーモスタット管理アカウントへのアクセスを有する人は、家の現在の温度を
見る、現在の設定点を変更する、「在宅」と「留守」との間でサーモスタットのモードを
変更する、などの様々な目的のために、（サーモスタット管理システム５０６を通じ、サ
ーモスタットアクセスクライアント５１６を使用して）サーモスタットにアクセスし得る
。その上、サーモスタット管理システム５０６は、次いで、サーモスタットによって提供
される様々な情報の追跡を開始し得、それは、その結果、関連報告書、要約、更新、およ
び推奨を、サーモスタットのディスプレイ自体を通じて、サーモスタットアクセスクライ
アント５１６を通じて、またはその両方のいずれかで、ユーザーに対して提供するために
使用できる、数多くの豊かなクラウドベースのデータ集約および分析を可能にする。サー
モスタット管理サーバーが、かかるプログラムに登録されているユーザーのサーモスタッ
トに対して、エネルギー警告を送信し、かつ／またはエネルギー節約設定点コマンドを送
信する需要応答動作などの、様々な他の機能が実行され得る。
【００５２】
サーモスタットとサーモスタット管理アカウントとの間のペアリングの確立の重要性を
考慮して、ペアリングのフォールバック方法に関する機能が提供されるが、それは、ペア
リングの「手動支援」方法と呼ばれ得、以下でさらに詳述する便利な自動ペアリング方法
が、特定の設置に対して、安全かつ確実に実行できない場合に、効力を生じて実行され得
る。以下に図９Ｆに関連して詳述される、手動支援方法では、ペアリングサーバー６０６
は、英数字の「パスコード」を使用して、サーモスタットをサーモスタット管理アカウン
トにペアリングし得る。通常、パスコードは、インターネットのような公衆ネットワーク
を介してサーモスタットに送信されて、そのサーモスタットのディスプレイ領域上に表示
される。サーモスタットにアクセスする許可は、サーモスタット上の表示からパスコード
を取得するユーザーが、次いでそれを、ユーザーが彼らのサーモスタット管理アカウント
にログインする際に提示されるペアリングダイアログに入力する場合に提供される。ペア
リングサーバー６０６は、ユーザーが彼らのサーモスタットディスプレイ上に表示された
同じパスコードを入力する場合に、サーモスタットをユーザーのサーモスタット管理アカ
ウントとペアリングする。
【００５３】
好ましい「自動ペアリング」方法によれば、ペアリングサーバー６０６は、両方が同じ
プライベートネットワーク上に配置されている場合、サーモスタット管理アカウントをサ
ーモスタットに対して自動的にペアリングまたは「自動ペアリング」し得る。サーモスタ
ットおよびサーモスタット管理アカウントが同じプライベートネットワークに関連付けら
れている場合、本発明の実施形態は、サーモスタットがユーザーの自宅、事務所、または
、ユーザーが装置の制御も有するはずの他の領域にあると仮定する。これを自動的に判断
するために、ペアリングサーバー６０６は、サーモスタットをインターネットを介して登
録するために使用されたパブリックネットワークアドレスを、サーモスタット管理アカウ
ントにアクセスするためにごく最近使用されたコンピュータ装置によって使用されたパブ
リックネットワークアドレスと比較する。サーモスタットおよびコンピュータ装置はプラ
イベートネットワークアドレスのみを有しているので、それらの共有するプライベートネ
ットワーク上のルーターは、同じパブリックネットワークアドレスをそれらのパケット内
に挿入して、その２つの装置が、インターネット上のサーバー、サービス、および他の装
置にアクセスできるようにする。「自動ペアリング」は、この事実を利用して、同じパブ
リックネットワークアドレスを共有する装置を自動的にペアリングする。これは、ペアリ
ングプロセスを達成するために、ユーザーがパスコードまたは他の英数字の識別子を入力
する必要で面倒な思いをすることがなく、また、ユーザーが不注意に間違ったコードまた
は識別子をシステムに入力し得る懸念を回避するというユーザーの観点から特に好都合で
ある。自動ペアリングおよび手動支援ペアリングに関する詳細が、本明細書で以下でさら
に詳述される。
【００５４】
サーモスタットフロントエンドユーザーインタフェース（ＵＩ）サーバー６０８は、ユ
ーザーが、彼らのネットワーク接続されたサーモスタット１１０／１１２のうちの１つま
たは複数を、コンピュータウェブブラウザ、スマートフォン、タブレット、または他のコ
ンピュータ装置から、遠隔で、アクセス、構成、それとの対話、および制御することを可
能にする、直感的で、ユーザーフレンドリなグラフィカルユーザーインタフェースの生成
および提示を容易にする。ユーザーフレンドリなグラフィカルユーザーインタフェースは
、サーモスタット１１０／１１２とのリアルタイムの接続を必ずしも要求しない便利なツ
ールおよびインタフェースも提供でき、例には、いくつかの実施形態に対して、過去のエ
ネルギー使用、過去のセンサー測定値および／または居住パターンを表示するためのユー
ザーインタフェースを提供すること、ユーザーが需要応答プログラムに関して学習し、か
つ／またはそのプログラムに登録できるようにすること、ユーザーが、エネルギー節約を
促進する、有益で、競争的な、楽しい方法で互いに対話することを可能にするソーシャル
ネットワーキングフォーラムを提供すること、天気、公安情報、近隣の行事、および地域
のブログを含む、地域の情報へのアクセスを提供すること、より一般的に、総合的な「エ
ネルギーポータル」機能に関連したサービスおよび機能を提供することを含む。１つまた
は複数の好ましい実施形態に従って、ＵＩサーバー６０８によって提供される、直感的で
、ユーザーフレンドリなグラフィカルユーザーインタフェースが、図１０Ａ〜図１２Ｃに
関連して以下でさらに記述される。
【００５５】
いくつかの実施形態では、サーモスタットアクセスクライアントユーザーインタフェー
スは、サーモスタット管理システム内のサーモスタット管理アカウントとペアリングされ
た一次包囲空間を表す家の画像を表示する。サーモスタットフロントエンドＵＩサーバー
６０８は、図５のサーモスタットアクセスクライアント５１６などの、サーモスタットア
クセスクライアントに、一次包囲空間内部の１つまたは複数のサーモスタット１１０／１
１２を視覚的に表す画像を表示するようにさらに指示し得る。デフォルトによって、１つ
または複数のサーモスタット画像の各々も、包囲空間内の現在の温度を表示し得る。いく
つかの実施形態では、ユーザーインタフェースは、同様にサーモスタット管理アカウント
にペアリングされている追加のサーモスタットを有する二次包囲空間を表す、追加の家、
または複数の家の画像もさらに表示し得る。追加の家の画像は、一次包囲空間を表す家の
画像と関連付けながら、小さく、ぼんやりと、または一般に視覚的に強調を抑えて、現れ
得る。二次包囲空間を超えた追加の包囲空間も、ユーザーインタフェースに表示され得、
同様に、一次包囲空間に対して表示される画像に比べて、視覚的に強調を抑えて現れるは
すである。サーモスタットアクセスクライアントおよびユーザーインタフェースに関する
さらなる情報が、本明細書で以下でさらに詳述される。
【００５６】
サーモスタットバックエンドサーバー６１０は、サーモスタット管理システム５０６内
の様々なサーモスタット管理サーバーによって使用されるデータの保管を管理する。いく
つかの実施形態では、サーモスタットバックエンドサーバー６１０は、登録サーバー６０
２によって使用されるサーモスタット登録プールデータの保管を管理し得るか、または、
新しいソフトウェアアップデートを編成および格納して、更新サーバー６０４に対してリ
リースし得る。別の実施形態では、サーモスタットバックエンドサーバー６１０は、それ
に登録されたサーモスタットによってサーモスタット管理システム５０６に送信された包
囲空間に関連した、暖房および冷房関連データ（すなわち、包囲空間内でＨＶＡＣシステ
ムが暖房または冷房モードのいずれかであった日付および時間）、センサー情報、電池レ
ベルデータ、警告、なども格納し得、また、いくつかの実施形態では、サーモスタットに
よって使用するため、公衆ネットワークを介してダウンロードするために、事前計算され
た暖房および冷房スケジュール、アプリケーション、ならびに他のデータを提供する。
【００５７】
いくつかの実施形態では、サーモスタット管理アカウントサーバー６１２は、サーモス
タット管理システム５０６上で新しいアカウントの作成および既存のアカウントの更新を
行うために使用される。彼らのサーモスタットにサーモスタットアクセスクライアント５
１６を通じてアクセスし、サーモスタット連結性の利点を享受するために、ユーザーはま
ず、彼らのサーモスタットアクセスクライアント５１６を使用して、サーモスタット管理
アカウントサーバー６１２上にサーモスタット管理アカウント（「ユーザーアカウント」
）を作成することを要求される。その結果、ユーザーは、サーモスタット管理アカウント
サーバー６１２にアクセスするために、コンピュータまたは他のコンピュータ装置上でサ
ーモスタットアクセスクライアント５１６を実行する。サーモスタット管理アカウントサ
ーバー６１２は、その最適な包囲空間の特徴化およびＨＶＡＣ制御アルゴリズムの一部と
して使用され得る、気象サービスによって提供される気象情報がサーモスタットでアクセ
スされてダウンロードされ得るように、サーモスタットが設置されている（または設置さ
れる予定の）包囲空間に対する少なくとも郵便番号および／または市ならびに州を受信す
べきである。任意選択で、ユーザーの連絡先、包囲空間の所在地住所などを含む、様々な
他の情報も受信され得る。サーモスタット管理アカウントサーバー６１２に関連付けられ
た一次オプションは、１つまたは複数のサーモスタットを、ペアリングサーバー６０６に
よって提供されるペアリング操作を通じて、正しいサーモスタット管理アカウントにペア
リングすることを含む。しかし、たとえアカウントがサーモスタットとまだペアリングさ
れていない場合でさえ、ユーザーは、サーモスタット管理アカウントを使用して、天気、
公安情報、近隣の行事、地域ブログ、ならびに、ユーザーの連絡先、場所および他の関心
に基づく更なる情報を含む地域の情報にアクセスし得る。
【００５８】
図７は、本発明の実施形態に従って、サーモスタットをサーモスタット管理アカウント
とペアリングするための操作を表す流れ図を示す。制御線ならびにサーモスタットからＨ
ＶＡＣコントローラおよび関連したＨＶＡＣシステムへの任意選択の電力を接続すること
を含め、ユーザーが物理的にサーモスタットを、住居用または商用の、包囲空間内に設置
していると仮定する（ステップ７０２）。これらの制御線は、ＨＶＡＣコントローラに信
号を送信して、ＨＶＡＣに関連付けられた暖房および冷房ユニット内の１つまたは複数の
段階をスイッチオンまたはオフする。サーモスタットは、サーモスタットユニットに含ま
れる居住センサー、熱センサー、近位センサー、または他のセンサーの適切な動作を促進
するために、異なる高さおよび配向で壁に取り付けられ得る。サーモスタット上での制御
ワイヤーの接続および試験に関するさらなる詳細が、上記の米国特許出願第１３／０３８
，２０６号に記述されている。ＨＶＡＣシステムを介した制御は、プライベートネットワ
ークがない場合、またはサーモスタットが設置されている場所でプライベートネットワー
ク接続が利用できない場合（ステップ７０４−いいえ）、サーモスタットのローカル操作
を通して達成され得る（ステップ７０６）が、かかる非接続操作は、一般に、ネットワー
ク接続された操作ほど、最適および／または便利ではないだろう。いくつかの実施形態で
は、サーモスタットが配置される包囲空間が、サーモスタットに接続するための有線また
は無線接続を持つプライベートネットワークを有していない可能性がある。あるいは、プ
ライベートネットワークが存在するが、サーモスタットが範囲外で、プライベートネット
ワーク内のルーターまたは無線アクセスポイントに無線で接続できない事例があり得る。
これらまたは他の同様の状況のいずれかでは、たとえサーモスタットがネットワークを介
してアクセス可能でない場合であっても、サーモスタットは、スタンドアロン構成で動作
を継続して、ＨＶＡＣおよびＨＶＡＣコントローラを通じたローカル制御を可能にする。
サーモスタットのローカル操作は、その制御およびプログラミングのために、外側リング
３１２を回転すること、またはヘッドユニット前面４０２を押すこと（上記の図３Ａ〜図
４Ｂを参照）を含み得る。
【００５９】
ネットワーク接続が利用可能な場合（ステップ７０４−はい）、ユーザーはまず、サー
モスタットに関連付けられたＮＩＣと包囲空間内のプライベートネットワークとの間に、
好ましくは無線の、ネットワーク接続を構成する必要があり得る（ステップ７０８）。い
くつかの実施態様では、包囲空間内のネットワークからの信号強度が最強であり得るので
、サーモスタットは、最強の無線信号で無線ネットワークに加わることを自動的に示唆し
得る。例えば、サーモスタットは、最も高い受信信号強度インジケータ（ＲＳＳＩ）の無
線ネットワークに加わるように示唆し得る。ユーザーは、サーモスタットが無線ネットワ
ークに加わることをインタフェース上でサーモスタットに確認し得る。他の実施態様では
、サーモスタットは、近くの無線ネットワークからのＳＳＩＤを、図４Ａのディスプレイ
３０６などのディスプレイ上に表示して、ユーザーが、外側リング３０２を回転して正し
い無線ネットワークにスクロールにし、次いで、ヘッドユニット前面を押してそのネット
ワークを選択して加わろうと試みることを可能にする。無線ネットワークに対するパスワ
ードが要求される場合、パスワードを構成する一連の文字が、外側リング３１２を回して
英字の文字をスクロールし、次いで、ヘッド前面ユニット４０２全体を押すことによりそ
の文字を選択することによって提供される。無線ネットワークへの接続を容易にする好ま
しいサーモスタットのユーザーインタフェースのさらなる説明が、上の本発明の譲受人に
譲渡された米国特許出願第１３／２６９，５０１号で提供される。さらに別の実施態様で
は、無線コンピュータまたは無線装置が、内蔵ウェブサーバーおよびウェブインタフェー
スにアクセスするためにアドホックなネットワークをサーモスタットと直接形成し得、次
いで、コンピュータ装置およびブラウザを使用して、無線ＮＩＣとプライベートネットワ
ークとの間に接続を構成する。この後者のアプローチは、サーモスタット上のディスプレ
イが、構成目的のため、またはある診断を実行するために、容易に見ることができないか
、到達できない場合に有用であり得る。
【００６０】
一旦、プライベートネットワークに接続されると、サーモスタットは、その一意のサー
モスタット識別子を含む、それに関連したサーモスタットメタデータ情報をサーモスタッ
ト管理システム５０６に伝送し、この情報は、プライベートネットワークルーターを通り
サーモスタット管理システム５０６に向けて出て行く途中で、プライベートネットワーク
ルーターのパブリックネットワークアドレスが付加される（ステップ７１０）。サーモス
タットに関連する情報をサーモスタット管理システム上で利用可能にする登録が実行され
、その登録は、サーモスタットをサーモスタット管理アカウントとペアリングするための
先行（ｐｒｅｃｕｒｓｏｒ）である。登録を完了するために、登録サーバー６０２などの
、サーモスタット管理システムに関連したサーバーが、後の処理用に保持するために、サ
ーモスタットに関連した前述のデータおよびメタデータとともに、サーモスタット登録プ
ール内に新しいエントリを作成し得る。実施態様に応じて、サーモスタットは、一旦、そ
れがサーモスタット管理システムに登録されると、そのシステムからソフトウェアおよび
ファームウェアアップデートを受信することが可能であり得る。
【００６１】
クラウドベースのサーモスタット管理システムは、作成された各ユーザーアカウントに
対する一意のアカウント識別子（電子メールアドレスなど）、および製造された各サーモ
スタットユニットに対する一意のサーモスタット識別子（ＭＡＣアドレスなど）を維持す
る。クラウドベースのサーモスタット管理サーバーは、各ユーザーアカウントに対して、
ユーザーが、クラウドベースのサーモスタット管理サーバー上の彼らのユーザーアカウン
トにそこからごく最近アクセスしたパブリックネットワークアドレスを追跡し、かかる追
跡は、以前に確立されたユーザーアカウントおよび新しく確立されたユーザーアカウント
の両方に対して適用可能である。
【００６２】
いくつかの実施形態では、サーモスタットは、既にサーモスタット管理アカウントとペ
アリングされている可能性があり（ステップ７１２−はい）、それは、ステップ７１０で
送信された一意のサーモスタット識別子に基づいて検出され得、従って、ペアリングは既
に確立されている（ステップ７２２）。いくつかの実施形態では、サーモスタット識別子
、例えば、ＮＩＣに割り当てられたＭＡＣアドレスが、サーモスタットに対するエントリ
をサーモスタット登録プール内で探すために使用され得、次いで、サーモスタット管理ア
カウントのリストと相互参照される。初期ペアリングが削除または除去されていない限り
、１つのアカウントとペアリングされたサーモスタットは、別のアカウントとのペアリン
グに利用可能ではあり得ない。他方、単一のサーモスタット管理アカウントは、複数の異
なるサーモスタットとペアリングできることを理解されたい。
【００６３】
サーモスタットがまだサーモスタット管理アカウントとペアリングされていない場合（
ステップ７１２−いいえ）（すなわち、「ペアリング候補サーモスタット」）、ステップ
７１４でサーモスタット管理サーバーが、（ｉ）サーモスタットのプライベートネットワ
ークルーターのパブリックネットワークアドレスと（ｉｉ）サーモスタット管理アカウン
トがそこから最近アクセスされている追跡されたパブリックネットワークアドレスとの比
較に基づき、ペアリング候補サーモスタットがサーモスタット管理アカウントと自動的に
関連付けできるかどうかを判断する。ペアリング候補サーモスタットのプライベートネッ
トワークルーターのパブリックネットワークアドレスと、１つのユーザーアカウントがそ
こから最近アクセスされているパブリックネットワークアドレスとの間にかかる一致があ
る場合（ステップ７１６−はい）、サーモスタットに対する一意のサーモスタット識別子
とサーモスタット管理アカウントに対する一意のアカウント識別子との間に、自動関連付
けが、少なくとも暫定的に、確立される。しかし、かかる確かな一致時に、サーモスタッ
ト管理アカウント識別子（例えば、ユーザーの電子メールアドレス）がサーモスタットデ
ィスプレイ画面上に表示される、少なくとも１つのセーフガード試験（７１８）が行われ
て（図８Ｂを参照）、サーモスタットへのユーザーからの肯定確認入力が要求されること
が好ましい。さらなるセーフガードも実行され（ステップ７２０）、全てが満足されると
、ペアリングが肯定的に確立される（ステップ７２２）。
【００６４】
しかし、ステップ７１６で一致が見つからない場合、またはセーフガード試験（７１８
、７２０）のいずれかが満足されない場合には、ペアリングを肯定的に確立するために（
ステップ７２２）、手動支援ペアリングプロセス（ステップ７１９）が行われることが要
求される。任意選択で、ステップ７１６で一致が見つからない場合、ユーザーは、彼らの
サーモスタット管理アカウントを確立し、かつ／またはそれにログインするように要請さ
れ得、その後、ステップ７１４〜７１６が次いで繰り返されて、一致が生じるかどうかを
確かめる。
【００６５】
手動支援ペアリングについて、サーモスタットは、ペアリングサーバー６０６から、サ
ーモスタットのディスプレイに表示される、７文字の英数字パスコードシーケンスを受信
し得、その一例が図８Ｃに示されている。パスコードを見ている、サーモスタットのすぐ
近くのユーザーが、その英数字シーケンスを彼らのサーモスタット管理アカウントに入力
し得る。英数字シーケンスがサーモスタット管理に正しく入力されると、ペアリングサー
バーは、サーモスタットをユーザーのサーモスタット管理アカウントとペアリングするで
あろう。
【００６６】
いくつかの実施形態によれば、ステップ７２０で実行される所定のセーフガードは、以
下のいずれかの場合、任意の暫定的なペアリング関連付けのキャンセル（すなわち、手動
支援を要求する）を含み得る：（ｉ）２つの異なるユーザーアカウントが、現在サーモス
タットのプライベートネットワークルーターによって使用されている同じパブリックネッ
トワークアドレスから２４時間以内（または他の適切な時間窓）にログインされている、
（ｉｉ）同じパブリックネットワークアドレスからクラウドベースのサーモスタット管理
サーバーに同時にアクセスしている２つの異なるペアリング候補サーモスタットがある。
【００６７】
図８は、パスコード手段によって、サーモスタットとサーモスタット管理アカウントの
手動支援ペアリングのための操作の流れ図を提供する。一実施形態では、サーモスタット
管理システムからの、図６のペアリングサーバー６０６などのサーバーは、登録されたサ
ーモスタットのユーザーインタフェース上に表示されるパスコードを伝送し得る（８０２
）。いくつかの実施形態では、パスコードは通常、図８Ｃに示すようにサーモスタットの
ディスプレイ部分に表示される。一般に、ユーザーは、サーモスタットのディスプレイか
らパスコードを読み取り、次いで、そのパスコードをサーモスタット管理アカウントに入
力する。好ましくは、各パスコードは、他のアクティブなパスコードとの起こり得る衝突
または競合を回避するために十分異なっているが、人間の記憶または回想間違いを回避す
るために容易に覚えられる。いくつかの実施形態では、記憶しやすい７桁のパスコードが
、ユーザーに良く知られている電話番号の局番と、簡単に覚えられる４文字単語の組合せ
で構成され得る。例えば、サーモスタット９６４上に表示されるパスコード「３４７−Ｔ
ＲＡＭ」は、簡単に覚えられる単語ｔｒａｍ（路面電車）と組み合わされた、たまたまニ
ューヨーク州の局番である、覚えやすい３桁のコードを含む。
【００６８】
ペアリングサーバーは、パスコードを表示しているそれぞれのサーモスタットとペアリ
ングが行われることを要求しているサーモスタット管理アカウントから確認パスコードを
受信し得る（８０４）。サーバーが、サーモスタットとサーモスタット管理アカウントと
の間でパスコードの一致を確認すると（８０６−はい）、システムはサーモスタットをサ
ーモスタット管理アカウントとペアリングする（８０８）。パスコードの一致がない場合
、いくつかの実施形態は、提供されたパスコードが、サーモスタット管理システム内に登
録されたサーモスタットと一致しないという通知をサーモスタット管理アカウントに提示
し得る（８１０）。例えば、これは、パスコードがアカウントに不正確に入力されている
場合に起こり得る。それは、パスコードが、３時間などの、所定の時間間隔を超えてサー
モスタットのディスプレイに表示されて、タイムアウトしているか、またはシステムから
除去されている場合にも起こり得る。
【００６９】
図９Ａ〜図９Ｅは、本発明の実施形態に従った、サーモスタットのサーモスタット管理
アカウントとの自動ペアリングに関連した概略図および流れ図を提示する。図９Ａは、プ
ライベートネットワーク上で接続されるサーモスタットおよび、一実施形態に従って使用
される公衆ネットワーク上のペアリングサーバーからのデータ部分を示す。この例では、
サーモスタット９０２が、インターネットなどの公衆ネットワーク９０６に接続されたプ
ライベートネットワーク９０４およびルーター９０５を有する包囲空間内に設置される。
大規模なクラウドベースのサーモスタット管理システムのコンポーネントである、ペアリ
ングサーバー９０８は、公衆ネットワーク９０６上のパブリックネットワークアドレス１
０７．２０．２２４．１２を有し、サーモスタット登録プール９１０およびサーモスタッ
ト管理アカウントテーブル９１２を含む。図９Ａに示すように、サーモスタット９０２は
、サーモスタット識別子として使用され得る、１８：Ｂ４：３０：０１：６３：Ｅ４のＭ
ＡＣアドレスを有するが、プライベートネットワーク９０４および／または公衆ネットワ
ーク９０６にはまだ接続されていない。
【００７０】
この図に示されるように、サーモスタット登録プール９１０は、サーモスタット識別子
１８：Ｂ４：３０：０１：６３：Ｅ１、１８：Ｂ４：３０：０１：６３：Ｅ７、１８：Ｂ
４：３０：０１：６３：Ｅ３、および１８：Ｂ４：３０：０１：６３：Ｅ９、ならびに対
応するパブリックネットワークアドレスまたはパブリックアドレス７５．５２．８．１２
、７５．２２．４．２１、６８．２１．４．１２、および６８．２１．４．１５を有する
、現在、システム内に登録されている全てのサーモスタットのリストを含む。「はい」エ
ントリをもつサーモスタット登録プール内の確認フィールドは、サーモスタット１８：Ｂ
４：３０：０１：６３：Ｅ１、１８：Ｂ４：３０：０１：６３：Ｅ７、および１８：Ｂ４
：３０：０１：６３：Ｅ３が、それぞれ、サーモスタット管理アカウント９１２からのア
カウントｂｏｂ１２３＠ｇｍａｉｌ．ｃｏｍおよびｍａｔｔ＠ｇｕｎｎ．ｃｏｍと肯定的
にペアリングされていることを示し、これらのペアリングは、図９Ａ内のテーブル９１０
と９１２との間の矢印によって示されている。特に、ｂｏｂ１２３＠ｇｍａｉｌ．ｃｏｍ
は２つのサーモスタット１８：Ｂ４：３０：０１：６３：Ｅ１および１８：Ｂ４：３０：
０１：６３：Ｅ７とペアリングされ、ｍａｔｔ＠ｇｕｎｎ．ｃｏｍは、１つのサーモスタ
ット１８：Ｂ４：３０：０１：６３：Ｅ３とペアリングされている。それに比べて、サー
モスタット管理アカウントｊｅｆｆ５３３＠ｍａｃ．ｃｏｍおよびｓｕｅ３２４＠ｙａｈ
ｏｏ．ｃｏｍは、どのサーモスタットともペアリングされておらず、サーモスタット識別
子１８：Ｂ４：３０：０１：６３：Ｅ１に関連付けられたサーモスタットは、アカウント
とペアリングされていないままである。
【００７１】
図９Ｂでは、サーモスタット９０２は、プライベートネットワーク９０４に無線で接続
され、１９２．１６８．１．１０８のプライベートネットワークアドレスがルーターによ
って割り当てられている。ルーターは、ＮＡＴポート１０２２によって識別される、ＮＡ
Ｔテーブル９１４内のサーモスタット９０２に対するエントリも作成して、サーモスタッ
ト９０２が、公衆ネットワーク上の宛先アドレス１０７．２０．２２４．１２および宛先
ポート４４３でペアリングサーバー９０８にアクセスできるようにする。サーモスタット
９０２からペアリングサーバー９０８に送信されたパケットは、ルーターのパブリックネ
ットワークアドレスおよびＮＡＴテーブル９１４内のＮＡＴポート識別子に対応するパブ
リックネットワークアドレス７６．２１．３．２０３：１０２２を有する。その結果とし
て、図のように、７６．２１．３．２０３のパブリックネットワークアドレスおよびポー
トならびにサーモスタットＩＤの１８：Ｂ４：３０：０１：６３：Ｅ４を有するサーモス
タットメタデータ９１６が、サーモスタット９０２をサーモスタット登録プール９１０内
にサーモスタット登録プールエントリ９１１で登録するために使用される。
【００７２】
図９Ｃの図は、アカウント名ｂｉｌｌ１１＠ｓｂｃ．ｃｏｍをもち、プライベートネッ
トワーク９０４を通してコンピュータ装置９１８に無線で接続するユーザー９０２をさら
に示す。プライベートネットワーク９０６上のルーターは、プライベートネットワークア
ドレス１９２．１６８．１．１１０をコンピュータ装置９１８、およびコンピュータ装置
９１８が公衆ネットワーク上のペアリングサーバー９０８もアクセスできるようにする、
ＮＡＴポート１０４４によって識別されるＮＡＴテーブル９１４内のエントリに割り当て
る。コンピュータ装置９１８からペアリングサーバー９０８に送信されたパケットは、７
６．２１．３．２０３：１０４４のパブリックネットワークアドレスおよびポートを有し
、これにより、ルーターのパブリックネットワークアドレスおよびＮＡＴテーブル９１４
内のＮＡＴポート１０４４に対応する。７６．２１．３．２０３のパブリックネットワー
クアドレスおよびｂｉｌｌ１１＠ｓｂｃ．ｃｏｍのアカウント名を有するサーモスタット
アクセスクライアントメタデータ９２２は、次いで、強調表示されているように、サーモ
スタット管理アカウント９１３エントリをプロビジョニングするためにサーモスタット管
理アカウントテーブル９１２内で使用される。さらなる実施形態によれば、ペアリングサ
ーバー９０８は、次いで、サーモスタット登録プールエントリ９１１とサーモスタット管
理アカウントエントリ９１３が、７６．２１．３．２０３の一致するパブリックネットワ
ークアドレスを有しているので、それらの間で自動化されたペアリングまたは「自動ペア
リング」を開始し得る。この特定の例では、自動ペアリングは、図のように、サーモスタ
ット登録プールエントリ９１１とサーモスタット管理アカウントエントリ９１３との間で
関連付けを作成する。
【００７３】
サーモスタットが正しいアカウントとペアリングされていることを確実にする手助けを
するために、いくつかの実施形態は、セーフガードの目的で、１つまたはいくつかの追加
の確認操作を含み得る。いくつかの実施形態では、サーモスタットフロントエンドＵＩサ
ーバー６０８（図６を参照）は、サーモスタットアクセスクライアントを実行するコンピ
ュータ装置上で彼らのサーモスタット管理アカウントにアクセスするユーザーに対して、
図９Ｄのダイアログ９２４を表示する。ダイアログ９２４は、ペアリングが自動的にサー
モスタットを特定のサーモスタット管理アカウントに追加またはそれとペアリングしよう
としているので、自動ペアリングルーチンがそのサーモスタットを見つけたことをユーザ
ーに通知する。ユーザーがそのサーモスタットをサーモスタット管理アカウントとペアリ
ングすることを欲しない場合には、拒絶ダイアログ９３０が、ユーザーがそのサーモスタ
ットを「追加しない」よう要求することを可能にし、ペアリングがキャンセルされるだろ
う。
【００７４】
ユーザーがペアリングをキャンセルしない場合、図９Ｄのダイアログ９２４内に示す一
実施形態は、ユーザーに「新しいサーモスタットが検出されています」とさらに通知し、
次いで、ユーザーに「そのサーモスタットに行って、それをあなたのアカウントに追加し
てください」と提案する。一実施形態では、サーモスタットフロントエンドＵＩサーバー
６０８は、ユーザーがそのサーモスタットを見つけるのを支援するために、確認ダイアロ
グと共に、サーモスタット画像複製９２８を配信する。ユーザーは次いで、アカウント名
９３６（この例では、ｂｓｍｉｓｔｅｒ＠ｎｅｓｔｌａｂｓ．ｃｏｍ）、およびそのアカ
ウントとのペアリングを確認するための確認ダイアログ９３４と共に図９Ｄに示すような
、サーモスタット９３２を見つけ得る。ユーザーは、サーモスタット９３２の外側リング
を操作して、サーモスタット９３２のサーモスタット管理アカウント９３６とのペアリン
グの確認（すなわち、はいを選択）または拒絶（すなわち、いいえを選択）のいずれかを
行い得る。ユーザーがはい／いいえダイアログ９３４を確認すると、サーモスタット登録
プール９１０内の確認？欄のエントリが「はい」エントリを受信して、サーモスタットが
ペアリングされる。
【００７５】
いくつかの実施形態では、確認ダイアログ９３４は、ユーザーがそれを許可するまで、
ペアリングサーバー９０８が、サーモスタットをサーモスタット管理アカウントと自動的
にペアリングしないことを確実にするのを助ける。他の実施形態では、複数のユーザーが
同じプライベートネットワーク上にいる場合に、確認は、サーモスタットを間違ったサー
モスタット管理アカウントと誤って自動ペアリングするのを制限するためにも使用され得
る。例えば、小売店または喫茶店は、顧客も自分のサーモスタット管理アカウントにアク
セスしている、複数の顧客と共用プライベートネットワークを使用しているサーモスタッ
トをペアリングしようとし得る。この後者の状況が起こる場合、図９Ｃのサーモスタット
管理テーブルなどのサーモスタット管理テーブルが、同じパブリックネットワークアドレ
スの複数のエントリを有し（図示せず）、自動ペアリングサーバーは、どのアカウントが
サーモスタットとペアリングされるべきかを判断できない。この競合を回避するために、
確認ダイアログ９３４は、任意選択で、可能性のあるアカウントのリストを連続的に通過
して、どのアカウントがサーモスタットとペアリングされるべきかをユーザーが選択する
ことを可能にし得る。さらに別の実施形態では、同じパブリックネットワークアドレスの
複数のエントリおよびサーモスタット管理テーブルが曖昧さを解消できない場合、本発明
のいくつかの実施形態は、自動ペアリングを見合わせて、本明細書の以下で説明するパス
コードペアリングなどの別のタイプのペアリングを使用する。
【００７６】
図９Ｅは、本発明の実施形態に従った、サーモスタットとサーモスタット管理アカウン
トの自動ペアリングに関連した操作の流れ図を提供する。一実施形態では、図６のペアリ
ングサーバー６０６などの、ペアリングサーバーは、プライベートネットワーク上のコン
ピュータ装置が、公衆ネットワーク上のサーモスタット管理システム上のサーモスタット
管理アカウントにアクセスしたことを検出する（９３６）。いくつかの実施形態は、自動
ペアリングは、ユーザーがサーモスタット管理アカウントを作成し、サービスにログイン
している場合に起こり得る。例えば、自動ペアリングは、ユーザーが、アカウントを作成
し、かつ／または図９Ｂに示すサーモスタット管理アカウントテーブル９１２内に配置さ
れたアカウント情報にアクセスする場合に起こり得る。サーモスタット管理アカウントが
現在アクセスされている場合、ユーザーは、１つまたは複数のサーモスタットのサーモス
タット管理アカウントとの自動ペアリングを確認することも利用できそうである。さらに
、サーモスタット管理アカウントにアクセスすることは、パブリックネットワークアドレ
スを更新し得、新しいサーモスタットが検出されて自動ペアリングされることを可能にし
得る。
【００７７】
本発明の実施形態は、プライベートネットワーク上のルーターによって提供されたサー
モスタット管理アカウントに関連付けられたパブリックネットワークアドレスをさらに受
信する（９３８）。前述のように、プライベートネットワーク上の装置は一般に、パブリ
ックネットワークアドレスを、プライベートネットワークに、インターネットなどの公衆
ネットワークへのアクセスを提供するルーターと共有する。プライベートネットワーク上
のルーター装置は、ＮＡＴテーブルエントリを使用して、プライベートネットワークおよ
び公衆ネットワーク上で使用されるアドレス間をブリッジする。一実施形態は、図９Ｃの
サーモスタット管理アカウントテーブル９１３内のサーモスタット管理アカウントにアク
セスするコンピュータ装置に関連付けられたパブリックネットワークアドレスを格納する
。ペアリングサーバー９０８によって実行される自動ペアリングは、ペアリングを判断す
るために、単一のパブリックネットワークアドレスを共有する１つのプライベートネット
ワーク上の装置およびサービスに依存する。
【００７８】
別の実施形態では、ペアリングサーバーが、パブリックネットワークアドレスを含むサ
ーモスタットメタデータをサーモスタット管理システムでのサーモスタットの登録から取
り出す（９４２）。一実施形態では、プライベートネットワークに取り付けられたサーモ
スタットは最初、サーモスタット管理システム上でのアクセスおよび登録を要求して、デ
ータ、アップデートを取得し、最終的にはサーモスタット管理アカウントとのペアリング
を取得する。登録中、サーモスタットは、サーモスタット登録プール９１０などの、サー
モスタット登録プール内に入力されるサーモスタットメタデータ情報を提供し得る。この
サーモスタットメタデータ情報は、一実施形態では、パブリックネットワークアドレスお
よびサーモスタット識別子を含む。登録時に、パブリックネットワークアドレスが、サー
モスタットが配置されるプライベートネットワーク上のルーターによって提供される。一
実施形態では、自動ペアリングは、プライベートネットワーク上のコンピュータ装置、サ
ーモスタット、および他のサービスと、ルーターによって共有されている、サーモスタッ
トによって使用される同じパブリックネットワークアドレスを頼りにする。
【００７９】
本発明の実施形態は、サーモスタット管理アカウントに関連付けられたパブリックネッ
トワークアドレスが、サーモスタットに関連付けられたパブリックネットワークアドレス
と同じかどうかを判断する（９４４）。前述のように、サーモスタット管理アカウントに
アクセスしたコンピュータ装置がサーモスタットと同じプライベートネットワーク上にあ
る場合、パブリックネットワークアドレスは一致するはずである。しかし、サーモスタッ
トおよびサーモスタット管理アカウントに対するパブリックネットワークアドレスが異な
る場合（９４４−いいえ）、サーモスタット管理アカウントをサーモスタットとペアリン
グするための代替アプローチが必要であり得る（９５２）。
【００８０】
本発明の実施形態は、サーモスタット管理アカウントが、サーモスタットが配置されて
いる同じプライベートネットワークからアクセスされると仮定する。許可の追加手段とし
て、一実施形態は、サーモスタットとサーモスタット管理アカウントをペアリングするた
めの確認を、サーモスタット上に表示されるダイアログを通じて要求する（９４６）。確
認は、サーモスタットをセットアップするユーザーに、サーモスタット上のインタフェー
スを操作して、特定のサーモスタット管理アカウントとのペアリングを確認するように要
求し得る。一例として、図９Ｄのサーモスタット９３２は、サーモスタットをアカウント
に追加することを確認するために使用される確認ダイアログを含む。確認が提供されない
場合（９４８−いいえ）、サーモスタット管理アカウントとサーモスタットをペアリング
するための代替アプローチが取られ得る（９５２）。サーモスタット管理システムが、サ
ーモスタットから処理を続けるための確認を受信する場合（９４８−はい）、本発明の実
施形態は、サーモスタットをサーモスタット管理アカウントとペアリングするであろう。
前述のように、ペアリングは、サーモスタットにデータへのアクセスを提供し、また、サ
ーモスタット管理アカウントを通じたサーモスタットへのアクセスも許可する（９５０）
。
【００８１】
図１０Ａ〜図１０Ｃは、本発明の実施形態に従って設計されたサーモスタットアクセス
クライアントからのユーザーインタフェースの一部を提示する。図１２Ａのサーモスタッ
トアクセスクライアント１０００は、図５で前述して示されたサーモスタットアクセスク
ライアント５１６に別の態様を提供する。このユーザーインタフェース部分では、サーモ
スタットアクセスクライアント１０００は、アカウント名１００２、家の設定選択１００
４、天気選択１００６、バックグラウンド領域１００８、一次視覚天気１０１０、二次視
覚天気１０１２、フォアグラウンド領域１０１４、サーモスタット選択１０１６、一次包
囲空間選択１０１８、留守インジケータ１０１９、二次包囲空間選択１０２０、フォーカ
スインジケータ１０２２および位置１０２４を含む、いくつかのコンピュータ選択可能な
、対話式要素を提示する。この記述の文脈では、家の設定選択１００４、天気選択１００
６、サーモスタット選択１０１６、一次包囲空間選択１０１８、および他を記述するため
に使用されるような「選択」という用語は、ユーザーインタフェース上の要素が選択され
得て、インタフェースを変更させるか、もしくはデータを生み出すか、またはその両方を
生じる。一実施形態では、「選択」として記述されていない他の要素は、包囲空間の現在
の位置を示す位置１０２４などの、テキストの表示を通して情報を提供し得る。他の実施
形態は、テキストまたは他のデータの表示を通して情報を表示し、かつ選択され得、従っ
て、選択され得るユーザーインタフェース上のさらに別の要素として機能する要素をさら
に提供し得る。これら他の実施形態では、テキストの選択が、関連情報、ユーザーインタ
フェースの構成部分へのアクセス、またはサーモスタットアクセスクライアントのユーザ
ーインタフェースに適切であると見なされる他の情報をさらに提供し得る。例えば、代替
実施形態は、位置１０２４で、またはその近隣で起こっている現在の事象を表示するため
にサーモスタットアクセスクライアント１００内の位置１０２４の選択を可能にし得る。
その結果、一実施形態は、本明細書で前述および後述の通りの選択の組合せを含むが、代
替実施形態は、もっと多くのまたはもっと少ない要素がユーザーインタフェース上の選択
となることを可能にして、選択された場合に追加の情報を提供し得ると考えられる。
【００８２】
これらの要素を一緒に組み合せて、本発明の実施形態は、１つまたはいくつかの包囲空
間に関連し、かつその中に設置されている１つまたは複数のサーモスタットをアクセス、
プログラミング、および制御するための魅力的で直感的なインタフェースを提供する。そ
の上、ユーザーインタフェースの要素は、天気の関連情報、データ、地域のコミュニティ
情報、エネルギー節約情報、緊急対応情報、および他のデータへのアクセスを、それが、
ユーザーのサーモスタット管理アカウントに関連付けられた１つまたは複数の包囲空間の
各々に関連するとき、さらに提供する。いくつかの実施形態では、アカウント名１００２
は、図１０Ａに示すように、サーモスタットアクセスクライアントを現在使用しているサ
ーモスタット管理アカウントの名前を提供する。例えば、アカウント名は、電子メールア
ドレスであり得るが、しかし、それは、システムが認識して、現在使用中のサーモスタッ
ト管理アカウントに関連付け得る任意の識別子でもあり得る。アカウント名１００２およ
び適切な関連した許可を提供すると、ユーザーインタフェースの一実施形態は、アカウン
ト名１００２からの一次包囲空間を、ユーザーインタフェースで当初使用されるデフォル
トの一次包囲空間として識別する。いくつかの実施形態では、デフォルトの一次包囲空間
は、アカウント名１００２の構成中に指定され得るか、またはアカウント名１００２をも
つサーモスタット管理アカウントが最後にアクセスされた時に使用された包囲空間であり
得る。この例では、アカウント名から取られたデフォルトの一次包囲空間は、「自宅」と
して識別されて、一次包囲空間選択１０１８に関連付けられた住居であり得、他方、二次
包囲空間は、「別荘」として識別されて、二次包囲空間選択１０２０に関連づけられた別
荘であり得る。ユーザーインタフェース内に表示されるように、「自宅」とラベル付けさ
れた一次包囲空間選択１０１８が、フォアグラウンド領域１０１４内で強調されて、大き
なサイズで、「別荘」とラベル付けされた小さい二次包囲空間選択１０２０の前に現れる
。フォーカスインジケータ１０２２は、ユーザーインタフェース内で現在アクセスされ、
かつ／または操作されている、ユーザーインタフェース内の１つの主要素を識別して、ユ
ーザーの注意をそれに向けるのをさらに助けるように動作する。この例では、フォーカス
インジケータ１０２２は、一次包囲空間選択１０１８を主要素およびユーザーインタフェ
ースの他の部分を駆動する１つの情報源として識別する。図１０Ａには示されていないが
、フォーカスインジケータ１０２２は、一次包囲空間選択１０１８ではなく、サーモスタ
ット選択１０１６などの他の要素を、ユーザーインタフェース内の主要素として識別し得
る。
【００８３】
一次包囲空間選択１０１８がフォーカスインジケータ１０２２によって識別されている
ので、ユーザーインタフェースのバックグラウンド領域１００８は、一次包囲空間選択１
０１８に関連付けられた一次包囲空間の近くの現在の天気を表す一次視覚天気１０１０を
表示する。一次視覚天気１０１０のいくつかの実施形態は、一次包囲空間における天気パ
ターンをさらに強調するために、雲、雨、雪、および他の天気状態を表す様々な画像要素
をアニメーション化し得る。時刻も、一次包囲空間の位置に関連付けられた時間帯に応じ
、一次視覚天気内の画像の明るさまたは暗さによって反映され得、それは、この事例では
、図１０Ａの一次視覚天気１０１０内に反映されたように昼間として現れる。一次包囲空
間選択１０１８に関連付けられたユーザーインタフェース上の他の要素は、現在の温度お
よび一次包囲空間位置における温度を示す温度／位置１０２４、ならびに、選択された場
合に、同様に、一次包囲空間に関連した天気予報を提供する天気選択１００６を含む。家
の設定選択１００４は、選択された場合に、一次包囲空間選択１０１８に関連付けられた
一次包囲空間の住所、郵便番号および位置に関連する情報を表示する。
【００８４】
留守インジケータ１０１９は、一次包囲空間選択１０１８の家画像の窓１０１７内、お
よび家画像の玄関に沿った逆「Ｕ」字形のドアのような画像の輪郭の幅内に、異なる色と
して現れる。例えば、明るい黄色として現れる窓およびドア内の色は、誰かが家または事
務所に現在居ることを示し得るが、色が暗色または黒に変わると、それは、家または事務
所が留守であることを示す。
【００８５】
いくつかの実施形態では、一次包囲空間選択１０１８は、実際の一次包囲空間内で使用
されるサーモスタットの各々に対してサーモスタット選択１０１６も表示する。この例内
で「自宅」とラベル付けされた一次包囲空間選択１０１８は、フォアグラウンド領域１０
１４内に表示されたサーモスタット選択１０１６によって表されるように、サーモスタッ
トを１つだけ有している一次住居または自宅を表すように見える。いくつかの実施形態で
は、サーモスタット選択１０１６を選択すると、フォーカスインジケータ１０２２がサー
モスタット選択１０１６の下にスライドして、ユーザーインタフェースは、スケジュール
に従って暖房および冷房設定点をセットアップするためのインタフェースの別の部分を提
示する。
【００８６】
図１０Ｂは、別の実施形態に従って、一次包囲空間として選択された異なる包囲空間を
もつ図１０Ａと類似した、サーモスタットアクセスクライアントからのユーザーインタフ
ェースの部分を提示する。図１０Ｂでは、一次包囲空間選択１０１８は、「別荘」とラベ
ル付けされた包囲空間を一次包囲空間として、また、「自宅」とラベル付けされた包囲空
間を二次包囲空間１０２０として示す。図１０Ａで二次包囲空間選択１０２０を選択する
と、関連付けられた二次包囲空間が、一次包囲空間の役割を引き受けされて、図１０Ｂに
示すように、一次包囲空間選択１０１８に関連付けられるようになる。同様に、図１０Ａ
の一次包囲空間選択１０１８に関連付けられた一次包囲空間が、二次包囲空間の役割を引
き受けて、図１０Ｂの二次包囲空間選択１０２０に対応する。図１０Ｂのユーザーインタ
フェース内のこの一次包囲空間選択１０１８は、「別荘」包囲空間内に設置された２つの
サーモスタットを、「２階」とラベル付けされたサーモスタット選択１０１６および「１
階」とラベル付けされた別のサーモスタット選択１０２４でさらに表示する。同様に、一
次視覚天気１０１０は、図１０Ｂの一次包囲空間選択１０１８の近くの現在の天気および
時刻を反映する。
【００８７】
図１０Ｃは、本発明の一実施形態に従った、サーモスタットアクセスクライアントイン
タフェースに関連した操作の流れ図を提供する。図１０Ｃの操作は、図１０Ａおよび図１
０Ｂに示されるユーザーインタフェースの実施形態の別の態様を提供する。一実施形態で
は、ユーザーインタフェースは、サーモスタット管理アカウントに関連付けられた１つま
たは複数の包囲空間から選択された一次包囲空間を識別する。一次包囲空間が、ディスプ
レイ装置のユーザーインタフェース上での表示のために、一次包囲空間選択に関連付けら
れる（１０３２）。例えば、図１０Ａに示されたユーザーインタフェースは、電子メール
アドレスｓｔｅｖｅ＠ｇｍａｉｌで識別されるサーモスタット管理アカウント内の複数の
異なる包囲空間から選択された「自宅」とラベル付けされた包囲空間の一次包囲空間選択
をデフォルトで表示する。このデフォルトの一次包囲空間は、ユーザーによって構成され
得るか、またはユーザーインタフェースを通じてごく最近アクセスおよび選択された包囲
空間であり得る。さらに、図１０Ａのユーザーインタフェースは、また、その選択に注意
を引くために、フォーカスインジケータ１０２２を、新しく選択された一次包囲空間選択
１０１８の下に移動させる。
【００８８】
一旦、一次包囲空間が選択されると、サーモスタットアクセスクライアントのユーザー
インタフェースが、一次包囲空間選択および関連付けられたサーモスタット選択を表示す
る（１０３４）。いくつかの実施形態では、個々のサーモスタット選択が、一次包囲空間
の内部または近くの対応する温度を示し得る。一次包囲空間選択および対応するサーモス
タット選択の両方が、ディスプレイ装置上に表示される際に、ユーザーインタフェースの
フォアグラウンド領域内に現れる。例えば、一次包囲空間選択は、図１０Ａおよび図１０
Ｂのフォアグラウンド領域１０１４内に現れる一次包囲空間選択１０１８によって示され
るように、家の画像として現れ得る。同様に、ユーザーインタフェース上のサーモスタッ
ト選択は、包囲空間内に設置された円形サーモスタットとして現れ得、例えば、図１０Ａ
のサーモスタット選択１０１６ならびに図１０Ｂのサーモスタット選択１０１６および１
０２４として示される。いくつかの実施形態では、サーモスタット選択１０１６は、現在
の一次包囲空間に関連付けられた第１のサーモスタットを表し、サーモスタット選択１０
２４は、一次包囲空間に関連付けられた第２のサーモスタットを表す。
【００８９】
サーモスタットアクセスクライアントのユーザーインタフェースは、一次包囲空間の地
理的位置における一次視覚天気および大体の時刻をさらに表示する（１０３６）。一実施
形態では、この一次視覚天気は、図１０Ａの一次視覚天気１０１０同様に表示され得る。
例えば、一次視覚天気は、雨、雪、霰およびその他などの天気状況の画像および／または
アニメーション化された画像を、サーモスタットアクセスクライアント内のユーザーイン
タフェースのバックグラウンド領域に含み得る。これらの画像は、一般に、一次包囲空間
の地理的地域内の現在の天気状況および大体の時刻を反映する。
【００９０】
１つだけの包囲空間がサーモスタット管理アカウントとペアリングされる場合（１０３
８−いいえ）、ユーザーインタフェースは、前述のように、一次包囲空間選択だけを継続
して表示する（１０３４）。代替実施形態では、サーモスタット管理アカウントにペアリ
ングされた二次包囲空間（１０３８−はい）が、ユーザーインタフェースのさらなる実施
形態に従って、二次包囲空間選択として表示される。二次包囲空間選択は、視覚的に強調
を抑えられ、一次包囲空間選択と比較して小さく現れる。さらに強調を抑えるために、二
次包囲空間選択もフォアグラウンド領域に配置され得るが、一次包囲空間選択の後ろに現
れる。一次包囲空間選択と同様に、二次包囲空間選択は、図１０Ａのフォアグラウンド領
域１０１４内に現れる二次包囲空間選択１０２０によって示されるような家のように見え
得る。
【００９１】
選択が行われない場合（１０４２−いいえ）、ユーザーインタフェースの実施形態は、
前述のように、同じ一次包囲空間選択を継続して表示する（１０３４）。代替実施形態で
は、ユーザーインタフェースは、二次包囲空間選択の選択を受信し得、それにより、ユー
ザーインタフェースによって表される一次および二次包囲空間における変化を生じる（１
０４２−はい）。例えば、二次包囲空間選択のユーザーの選択は、二次包囲空間に一次包
囲空間の役割を引き受けさせ、次いで、ユーザーインタフェース上に一次包囲空間選択と
して表示されるようになる。その結果として、以前の一次包囲空間は二次包囲空間の役割
を引き受け、二次包囲空間選択として、ユーザーインタフェース上で視覚的に強調を抑え
て表示される（１０４４）。このユーザーインタフェースの相互作用の例を示すために、
図１０Ａは、ユーザー選択を受信する前に、「自宅」として識別される一次包囲空間選択
１０１８を表示する。「別荘」として識別される図１０Ａの二次包囲空間選択１０２０が
、ユーザー選択を受信して、図１０Ｂに示すように、一次包囲空間選択１０１８になる。
結果として、「自宅」として識別される以前の一次包囲空間選択が、図１０Ｂにおける二
次包囲空間選択１０２０になる。
【００９２】
本発明によれば、図１１Ａ〜図１１Ｃは、包囲空間に対し、ユーザーインタフェースに
おけるオプションの設定および天気予報の取得を示す。一実施形態では、包囲空間に対す
るオプションは、サーモスタットアクセスクライアントのユーザーインタフェース１１０
２上で一次包囲空間選択１１０４および関連した設定１１０６を選択することにより表示
される。この実施形態では、オプション１１０８は、一次包囲空間選択１１０４に対する
住所を提供すること、および自宅が在宅または留守であるかを示すことを含み得る。いく
つかの実施形態では、オプション１１０８内の「在宅状況」フィールドを「留守」に設定
することは、家が留守であることを示し、一次包囲空間選択１１０４として使用される家
の画像で照明が消されているか、または暗く見せる。「在宅状況」フィールドを留守に設
定することは、また、サーモスタットに、ＨＶＡＣシステムの電源をオフにさせ得るか、
またはＨＶＡＣを留守状態にして、温度をサーモスタットの留守状態に対して指定された
所定の範囲に維持し得る。他の実施形態では、オプション１１０８内の「在宅状況」フィ
ールドを「在宅」に設定することは（図１１Ａに示さず）、一次包囲空間選択１１０４と
して使用される家の画像で照明が点灯されているように見せ、また、ＨＶＡＣシステムの
電源をオンにして、所定の暖房または冷房プログラムを開始し得る。
【００９３】
他の実施形態によれば、図１１Ｂの設定１１０６の下で利用可能なサーモスタットダイ
アログ１１１０は、サーモスタットに関する状態を提供し、それらを容易に追加および除
去することを可能にする。例えば、サーモスタットダイアログ１１１０は、「廊下」とし
て識別された１つのサーモスタットがサーモスタットアカウントとペアリングされて、「
オンライン」であることを示す。いくつかの実施形態では、サーモスタットダイアログ１
１１０内で「別のサーモスタットを追加」選択を選択すると、サーモスタット管理システ
ムに、前述のように、自動ペアリング機能を使用して、追加のサーモスタットとペアリン
グするように促し得る。あるいは、「別のサーモスタットを追加」を選択すると、ユーザ
ーが、サーモスタットからシステムにパスコードを入力することにより、追加のサーモス
タットをペアリングすることを可能にし得る。図１１Ｃは、設定１１０６の下で利用可能
な天気予報１１１２のある、ユーザーインタフェース１１０２の別の実施形態を示す。こ
の例では、天気予報１１１２が、一次包囲空間選択１１０４がある地理的地域（この事例
ではパロアルト）に対する週間予報として提供される。
【００９４】
図１２Ａ〜図１２Ｃは、サーモスタットに関連したオプションおよびスケジュールを設
定するための、本発明の実施形態に従ったユーザーインタフェースを示す。ユーザーイン
タフェース１２０２内でサーモスタット選択１２０４および設定１２０６を選択すること
は、ユーザーにサーモスタット設定１２０８へのアクセスを提供する。一実施形態では、
サーモスタット設定１２０８の一部は、サーモスタット１２０４に対するサーモスタット
モード、学習モード、およびファンモード、ならびに対応するＨＶＡＣシステム（図示せ
ず）を選択することを含む。例えば、サーモスタットモードは、「冷房」に設定されて、
ＨＶＡＣが空気調整装置または他の冷却機構を実行することを可能にし得；「暖房」は、
ＨＶＡＣが暖房または他の加熱機構を実行することを可能にし得；または、「自動」は、
プログラミングに応じて、暖房または冷房モードのいずれかで実行することを可能にし得
る。学習モードが有効にされると、サーモスタットが、過去、環境および他のデータのみ
ならず、好みに基づいて、いつ暖房または冷房するかを学習することを可能にする。一実
施形態では、サーモスタット内のセンサーから取得されたセンサーデータも、サーモスタ
ット設定１２０８内に提示され、温度および湿度を含む。
【００９５】
図１２Ｂは、サーモスタットの１日のスケジューリングのために、本発明に従って設計
されたユーザーインタフェースを示す。一実施形態では、１日に対するスケジュールが、
２４時間のタイムラインを表す、端部が丸められた選択可能な水平バー１２１０を使用し
て行われる。選択可能な水平バー１２１０上の空いた領域を選択すると、設定点が示され
た時間間隔および温度で、選択可能な水平バー１２１０上に追加される。いくつかの実施
形態では、青色の設定点（すなわち、冷房設定点）を追加すると、関連付けられた設定点
温度を上回る場合、ＨＶＡＣに冷却させ、他方、赤色の設定点（すなわち、暖房設定点）
を追加すると、温度が関連付けられた設定点温度を下回る場合、ＨＶＡＣに暖房させる。
多くの他のタイプの設定点が、異なる色の組合せ、形状および外観で作成され得、これら
の設定点は、温度の範囲および暖房と冷房との間の自動切り替えを可能にするように構成
され得ることが考えられる。いくつかの実施形態では、設定点の除去は、選択可能な水平
バー１２１０上に配置された以前に作成された設定点を選択することにより達成される。
【００９６】
選択可能水平バー１２１０上に追加された設定点例１２１２および１２１４は、容易に
理解され得、それにより、サーモスタットの全体的なスケジューリングを単純化する。例
えば、選択可能水平バー１２１０上で「８：００」の位置に置かれた「７９」度の冷房設
定点１２１２は、温度が「８：００」以降に「７９」度を上回る場合、ＨＶＡＣに空気調
整装置の電源をオンにさせて「冷房」させるはずである。それに続く、「９：００」の「
８０」度の冷房設定点１２１４は、温度がその後「９：００」以降に「８０」度を上回る
場合にのみ、ＨＶＡＣに空気調整装置の電源をオンにさせて「冷房」させるはずである。
【００９７】
別の実施形態によれば、図１２Ｃは、サーモスタットを１週間スケジューリングするた
めのユーザーインタフェースを示す。ユーザーインタフェース上のサーモスタット選択１
２０４およびスケジュール選択１２０６は、ユーザーに週間スケジュール１２１６へのア
クセスを提供する。サーモスタットに対する週間スケジュールは、図１２Ｂに示す１日の
スケジュールと同様に機能するが、ただし、インタフェース内に、１つの水平バーが月曜
日から日曜日の各曜日に対する、７つの異なる選択可能水平バーが存在することを除く。
図１２Ｃに示す例では、週間スケジュール１２１６は、「７９」度で毎日「８」時に設定
された冷房設定点１２１８を有する。単一の７３度の暖房設定点１２２０が月曜日の「１
１：００」に設定され、これにより、温度が７３度より涼しくならないことを確実にする
。
【００９８】
図１２Ｄは、本発明の実施形態に従い、サーモスタットにおいて、暖房および冷房スケ
ジュールとやりとりするためのユーザーインタフェース方法に対応する流れ図である。一
実施形態では、ユーザーインタフェース方法は、サーモスタット管理アカウントとペアリ
ングされた第１の包囲空間およびサーモスタットに対する設定に関連付けられたスケジュ
ールを識別する（１２０２）。第１の包囲空間は、デフォルトで「自宅」とラベル付けさ
れた包囲空間、またはサーモスタット管理アカウント内で構成された包囲空間のリスト内
の第１の包囲空間にされ得る。
【００９９】
識別された包囲空間に基づき、一実施形態は、次いで、サーモスタットに対する暖房お
よび冷房スケジュールを、コンピュータ装置のユーザーインタフェース上に、サーモスタ
ットに対する暖房および冷房スケジュールにおける１日または複数日に対応する、１つま
たは複数の垂直に並べられた水平バーとして表示する（１２０４）。各水平バーは、スケ
ジュールにおいて、各水平バーの水平方向に沿って分けられた１日の時間範囲を含む。例
えば、水平バーは、左端の範囲で、真夜中の１２：００または２４時間スケジュールで０
０：００に１日が始まり、夜まで続いて、１１：５９ｐｍまたは２３：５９にスケジュー
ルが終了する。
【０１００】
インタフェースは、設定点選択を、１つまたは複数の垂直に並べられた水平バーのうち
の１つ上に置かれた幾何学形状としても表示し得る（１２０６）。一実施形態では、設定
点選択は、幾何学形状の中央に表示された値によって示される少なくとも１つの温度閾値
を有する。好ましくは、幾何学形状は、丸い円、または同心円であるが、他の形状も使用
され得る。例えば、７０などの単一の値は、７０度の閾値を示し得るが、６２／７６など
の２つの値は、設定点選択に関連付けられた範囲を示す。色または複数の色に応じて、設
定点選択の一実施形態は、ＨＶＡＣシステムの動作に対する温度の好みを示す。例えば、
「赤」色の幾何学形状は、設定点選択に関連した温度閾値に達するまで暖めることを示し
得る。６２／７６などの、２つの閾値レベルと結び付けられた「赤」および「黒」などの
２色は、低い方の閾値の６２に達するまで暖めて、その後、高い方の閾値の７６を上回る
場合に冷却することを示し得る。
【０１０１】
ユーザーインタフェースのさらなる態様では、暖房および冷房のためのスケジュールが
、特定の時間間隔における１つまたは複数の設定点選択とやりとりするために、いくつか
の水平バーのうちの１つ上の選択を受信する（１２０８）。例えば、選択は、本発明に従
って、サーモスタットアクセスクライアントおよびユーザーインタフェースを実行するコ
ンピュータの画面上の選択を示す、マウスまたは他のポインティング装置からであり得る
。一実施形態は、水平バー上で選択された時間間隔が既に設定点選択を有するかを判断す
る（１２１０）。その時間間隔に設定点選択が存在しない場合（１２１０−いいえ）、ポ
インティング装置による選択は、１つの水平バーの時間間隔において設定点を追加するこ
とを示し得る（１２１２）。追加された設定点選択は、暖房、冷房、または両方のいずれ
かを示し得、また、その設定点を作動させるための１つまたは２つの閾値も指定し得る。
冷房に対する温度の好みが、幾何学形状を「青」にすることによって示され得、他方、暖
房に対する温度の好みが「赤」の幾何学形状で示され得る。
【０１０２】
あるいは、その時間間隔に設定点選択が存在する場合（１２１０−はい）、ポインティ
ング装置による選択は、追加の指示を通じて、設定点を削除することをさらに示し得る（
１２１４−はい）。例えば、ユーザーインタフェースにおけるサーモスタットアクセスク
ライアント内でのマウスの右クリックまたはダブルクリックが、１つの水平バー上の時間
間隔における特定の既存の設定点が削除されるべきことを示し得る（１２１６）。しかし
、ポインティング装置がその設定点を削除することを示していない場合（１２１４−いい
え）、ポインティング装置による選択は、代わりに、水平バーに沿って設定点を修正する
ために使用され得る。例えば、ユーザーインタフェースは、スケジュール内の特定の時間
間隔および日における設定点に対する温度閾値、時間間隔、または温度の好みを修正する
ために使用され得る（１２１８）。
【０１０３】
図１３は、好ましい実施形態に従ったサーモスタットアクセスクライアントを使用する
現在の設定点操作を説明する目的で、単一の包囲空間および単一のサーモスタットがある
、比較的基本的なシナリオに対する、サーモスタットアクセスクライアントのためのユー
ザーインタフェースを示す。図１３の上の画面の包囲空間ベースの表示について、サーモ
スタットが、比較的小さいか、または控えめなサイズのサーモスタットアイコン１３０２
Ａによって表されている。しかし、ユーザーがサーモスタットアイコン１３０２Ａ上また
はその近くをクリックすると、図１３の下に示されるサーモスタットベースの表示に画面
が変わり、そこでは、サーモスタットは、比較的大きなサーモスタット画像１３０２Ｂに
よって表されている。サーモスタット画像１３０２Ｂ上に表示されているのは、目盛り形
式およびデジタル形式の両方での現在の周囲温度１３０４、大きく中央に置かれた数字で
の現在の設定点温度（７６度Ｆ）、および現在の設定点温度も表すメモリ１３０６である
。本発明の譲受人に譲渡された組み込まれた参照の１つまたは複数に記述されているよう
に、ユーザー挙動が良好なエネルギー節約挙動と一致するというフィードバックを与える
、精神的に報いる葉っぱアイコン１３０８も示されている。一実施形態について、ユーザ
ーは、現在の設定点目盛り１３０８をクリックし、ダイアルに沿って所望の温度位置まで
ドラッグすることにより、サーモスタットの現在の設定点温度を変えることができ、ダイ
アルの真ん中の大きな数字の設定点温度も、ドラッグされた目盛り位置に従って変わるで
あろう。いくつかの実施形態について、遠隔で課されたサーモスタット設定点温度におけ
る変更は、ユーザーの温度調整挙動におけるパターン検出の目的、または他の自動学習目
的などで、ユーザーが、家の中のサーモスタットのダイアルまで直接歩いて行ったかのよ
うに、サーモスタットによって同等に処理される。
【０１０４】
図１４Ａ〜図１４Ｃは、例えば、サーモスタットの現在の設定点温度が別の好ましい実
施形態に従って変更される、図１３からのサーモスタット画像１３０２を示す。より詳細
には、ユーザーが、大きな数字の中央の設定点温度のちょうど上である、サーモスタット
画像１３０２Ｂ上の領域に、彼らのマウスポインタを置くか、または他の方法でタッチす
ると、図（図１４Ａ）のように上向きカレットアイコンが表示される。ユーザーは、次い
で、上向きカレットアイコンの上またはその近くをクリックすると、現在の設定点温度を
上げることできる（図１４Ｂ）。他方、ユーザーが、大きな数字の中央の設定点温度のち
ょうど下の領域に、彼らのマウスを置くか、または他の方法でタッチすると、下向きアイ
コンが表れ、次いで、ユーザーは、その上またはその近くをクリックして、現在の設定点
温度を下げることができる（図１４Ｃ）。
【０１０５】
図１５Ａ〜図１５Ｃは、比較的小さい画面を有する、スマートフォンまたは他のハンド
ヘルド装置上で実行されるサーモスタットアクセスクライアントに関連したユーザーイン
タフェース画面を示す。図に示すように、これらのユーザーインタフェース表示は、大き
な画面に対して提供されるものに類似したテーマおよび機能が提供されるが、小さい全体
スペースに収まるように賢明に適合される。従って、例えば、ユーザーが、図１５Ｂに示
すサーモスタットアイコンの上をクリックすると、図１５Ｃのように拡大されたサーモス
タット画像が現れて、画面のフォアグラウンド全体を実質的に占有し、家の景観が薄暗く
されてバックグラウンドに置かれる。これは、拡大されたサーモスタット画像をさらに収
容しながら、一般的な家の景観が定位置に留まることが可能な、上で、図１３に示すよう
な大きな画面の実施態様と比較できる。
【０１０６】
本特許の主題は、一般に、以下の本発明の譲受人に譲渡された出願の主題に関する：２
０１１年１０月７日に出願された米国出願第１３／２６９，５０１号；２０１１年１０月
１７日に出願された米国出願第１３／２７５，３０７号；２０１１年１０月１７日に出願
された米国出願第１３／３１７，４２３号；および２０１１年１０月２１日に出願された
米国仮出願第６１／６２７，９９６号。上で参照された特許出願の各々が、参照により本
明細書に組み込まれる。
【０１０７】
それに応じて、本発明の精神および範囲から逸脱することなく、様々な修正が行われ得
る。実際に、サーモスタット、ＨＶＡＣＳおよび他の装置に対する操作のための様々なユ
ーザーインタフェースが提供されているが、設計は、発明全体の範囲に関して、制限する
のではなく、図示することが意図されている。自動ペアリングおよびパスコードペアリン
グを使用してサーモスタットをペアリングするための方法およびシステムが記述されてい
るが、これらの方法およびシステムは、アカウントとペアリングしようと試みるプライベ
ートネットワーク上の任意の装置に適用され得ると考えられる。例えば、本発明の実施形
態は、ネットワークに取り付けられたサーモスタットに限定されず、セットトップボック
ス、ストリーミングサーバー装置、ストリーミングサービスアプリケーション、コンピュ
ータ、携帯電話、ボイスオーバーＩＰ電話、または本発明の実施形態に従った自動ペアリ
ング機能から利益を得るものなどの、ネットワークに接続される任意の装置である。ユー
ザーインタフェースの事例では、これらのユーザーインタフェースの操作を表す多数の流
れ図が提供されているが、これらのインタフェースに関連して提示されるステップは、入
れ替え、順序付け、および混合され得、本発明の態様の範囲内に留まると考えられる。前
述および後述のように、サーモスタットという用語は、ＨＶＡＣシステムへの直接制御線
を有するサーモスタットを含み得、また、ＨＶＡＣシステムと直接接続しないが、包囲空
間内の１つの位置における周囲温度を検知して、包囲空間内のどこかに配置された別個の
サーモスタットユニットとの有線または無線のデータ接続によって協力して伝達する、サ
ーモスタットをさらに含み得、別個のサーモスタットユニットは、ＨＶＡＣシステムへの
直接制御線を有することをさらに理解されたい。その結果、本発明は、前述の実施形態に
限定されず、代わりに、添付の請求項により、均等物のそれらの完全な範囲を考慮して、
定義される。
【符号の説明】
【０１０８】
１２０  システム
１２２  統合ルーター
１２４  コンピュータ
１２４  コンピュータ装置
２１２  制御電子機器
２３０  圧縮機
２３２  回線
２３４  冷却コイル
２３６  回線
２３８  送風機
２４０  空気処理機
２４２  加熱要素
２４４  熱交換器コイル
２４６  還気ダクト
２４８  制御線
２５０  レジスタ
２５２  給気ダクトシステム
２５２  ダクトシステム
２５４  加湿器
２７０  フィルタ
３０２  外側リング
３０４  カバー
３０６  中央ディスプレイ領域
３０６  ディスプレイ
３０８  格子部材
３１０  外側領域
３１２  ヘッドユニット
３１２  外側リング
３１４  バックプレート
３１６  筐体
３１６  中央ディスプレイ領域
４０２  ヘッドユニット前面
４０２  ヘッド前面ユニット
４０４  ヘッドユニット枠
４４３  宛先ポート
５０２  プライベートネットワーク
５０２  ラップトップ
５０４  公衆ネットワーク
５０６  サーモスタット管理システム
５０８  スマートフォン
５１０  タブレット
５１２  コンピュータ
５１６  サーモスタットアクセスクライアント
５１７  ネットワーク
５１８  タブレット
５２０  サーモスタット管理システム
５２０  サーモスタット管理サーバー
５２０  サーバー
５２０  システム
５２２  サーモスタットデータベース
６０２  登録サーバー
６０４  更新サーバー
６０６  ペアリングサーバー
６０８  サーバー
６１０  サーモスタットバックエンドサーバー
６１２  サーモスタット管理アカウントサーバー
６１４  相互接続
【図１】
0006543282.tif 000002
【図２】
0006543282.tif 000003
【図３Ａ】
0006543282.tif 000004
【図３Ｂ】
0006543282.tif 000005
【図４Ａ】
0006543282.tif 000006
【図４Ｂ】
0006543282.tif 000007
【図５】
0006543282.tif 000008
【図６】
0006543282.tif 000009
【図７】
0006543282.tif 000010
【図８Ａ】
0006543282.tif 000011
【図８Ｂ】
0006543282.tif 000012
【図８Ｃ】
0006543282.tif 000013
【図９Ａ】
0006543282.tif 000014
【図９Ｂ】
0006543282.tif 000015
【図９Ｃ】
0006543282.tif 000016
【図９Ｄ】
0006543282.tif 000017
【図９Ｅ】
0006543282.tif 000018
【図１０Ａ】
0006543282.tif 000019
【図１０Ｂ】
0006543282.tif 000020
【図１０Ｃ】
0006543282.tif 000021
【図１１Ａ】
0006543282.tif 000022
【図１１Ｂ】
0006543282.tif 000023
【図１１Ｃ】
0006543282.tif 000024
【図１２Ａ】
0006543282.tif 000025
【図１２Ｂ】
0006543282.tif 000026
【図１２Ｃ】
0006543282.tif 000027
【図１２Ｄ】
0006543282.tif 000028
【図１３】
0006543282.tif 000029
【図１４Ａ】
0006543282.tif 000030
【図１４Ｂ】
0006543282.tif 000031
【図１４Ｃ】
0006543282.tif 000032
【図１５Ａ】
0006543282.tif 000033
【図１５Ｂ】
0006543282.tif 000034
【図１５Ｃ】
0006543282.tif 000035